(57)【要約】スマートカード、パーソナルデジタルアシスタント(“PDA”）、携帯電話等の手持式デバイス12で補助データを受信し処理して恩恵を得るシステムを記述する。照準光24及び／又はオーディオトランスデューサ34手持式デバイス12の使用者に補助データを受信中であることを知らせる。補助データは手持式デバイスで利用される。補助データの受信の結果使用者は販売促進の機会のような恩恵を受ける。このような機会は光20a、20b、20c及び／又は20d、又はLCD44を含む視覚ディスプレイ20に表示される。光とLCDは従来の商店やインターネットを介して償還可能な販売促進の機会を提供する。手持式デバイス12はPCMCIAインターフェース70や無線インターネットアクセスを装備し、インターネットでこれらの販促活動を取得する。手持式デバイス12は様々な形の筐体14を有し、様々な販売促進の機会をプロモートする。手持式デバイス前面16にスポンサー17の印を付けても良い。
2004536380.tif 000002
【特許請求の範囲】
【請求項１】
信号源から販売促進の機会に関連する補助データを受信し、受信した補助データの結果である複合デジタルオーディオサウンドを再生する手持式デバイスであって、
手持式デバイスに配置されて、信号源から補助データを受信する受信機と、
手持式デバイスに配置されて、手持式デバイスが受信した販売促進の機会を処理し、受信した補助データから販売促進の機会があることを判定する中央演算装置（ＣＰＵ）とその他の回路と、
手持式デバイスに配置されて、前記ＣＰＵと連結して販売促進の機会を保存するメモリと、
手持式デバイスに配置されて、前記ＣＰＵと連結して前記補助データまたは販売促進の機会に関連する複合デジタルオーディオサウンドを再生する高機能音声回路とを備える
ことを特徴とする手持式デバイス。
【請求項２】
前記信号源はディスプレイ装置であり、前記受信機はフォトセンサであることを特徴とする請求項１に記載の手持式デバイス。
【請求項３】
前記信号源は無線信号源であり、前記受信機は無線周波（ＲＦ）受信機であることを特徴とする請求項１に記載の手持式デバイス。
【請求項４】
前記信号源はディスプレイ装置及び無線信号源であり、前記受信機はフォトセンサ及び無線周波（ＲＦ）受信機であることを特徴とする請求項１に記載の手持式デバイス。
【請求項５】
手持式デバイスの信号源から、補助データを受信機で受信して、手持式デバイスのデータ記憶部に予め保存された音声をアンロックする方法であって、
補助データを前記信号源から手持式デバイスへ送信し、
受信機を介して手持式デバイスで補助データを受信し、
受信した補助データを手持式デバイスで処理し、
受信した補助データを受信したことに基づいて、データ記憶部に予め保存された音声を選択的にアンロックする
ことを特徴とする方法。
【請求項６】
前記信号源はディスプレイ装置であり、前記受信機はフォトセンサであることを特徴とする請求項５に記載の手持式デバイス。
【請求項７】
前記信号源は無線信号源であり、前記受信機は無線周波（ＲＦ）受信機であることを特徴とする請求項５に記載の手持式デバイス。
【請求項８】
前記信号源はディスプレイ装置及び無線信号源であり、前記受信機はフォトセンサ及び無線周波（ＲＦ）受信機であることを特徴とする請求項５に記載の手持式デバイス。
【請求項９】
信号源からの補助データを受信機で受信し、手持式デバイスを用いビデオ番組の視聴者にそのビデオ番組に関連する物品を購入する機会を与える方法であって、
ビデオ番組中の別々の時間に補助データを信号源から手持式デバイスに送信し、
受信機を介して手持式デバイスで前記補助データを受信し、
受信した補助データを手持式デバイスで処理し、
視聴者に手持式デバイスを用いて物品を購入する機会を通知し、
受信したデータの処理に基づいて、手持式デバイスを用いて物品を購入する機会を視聴者に与える
ことを特徴とする方法。
【請求項１０】
前記信号源はディスプレイ装置であり、前記受信機はフォトセンサであることを特徴とする請求項９に記載の手持式デバイス。
【請求項１１】
前記信号源は無線信号源であり、前記受信機は無線周波（ＲＦ）受信機であることを特徴とする請求項９に記載の手持式デバイス。
【請求項１２】
前記信号源はディスプレイ装置及び無線信号源であり、前記受信機はフォトセンサ及び無線周波（ＲＦ）受信機である
ことを特徴とする請求項９に記載の手持式デバイス。
【請求項１３】
ＲＢＤＳ符号器を用いて無線信号源から与えられた無線信号に関連する販売促進の機会を手持式デバイスの利用者に提供する方法であって、
無線信号内の補助データを前記ＲＢＤＳ符号器を用いて符号化し、
補助データを含む無線信号を無線信号源から送信し、
手持式デバイスで前記無線信号を受信し、
手持式デバイスで前記無線信号を処理して無線信号の中に補助データが存在するかどうかを判定し、
手持式デバイスで受信した補助データに基づいて使用者に販売促進の機会を提供する
ことを特徴とする方法。
【請求項１４】
前記手持式デバイスが補助データを受信したことを手持式デバイスの使用者に通知することを特徴とする請求項１３に記載の方法。
【請求項１５】
前記手持式デバイスが販売促進の機会を受信したことを手持式デバイスの使用者に通知することを特徴とする請求項１３に記載の方法。
【請求項１６】
使用者が手持式デバイスで販売促進の機会の受信の仕方を選択し予め決める方法であって、
使用者が様々な分野の販売促進の機会の中から、手持式デバイスで受信するものを選択し、
カテゴリ情報を手持式デバイスに保存し、
販売促進の機会を手持式デバイスで受信し、
手持式デバイスで受信した販売促進の機会と使用者の定めたカテゴリ情報とが一致するかを比較し、
前記販売促進の機会と保存されたカテゴリ情報との比較に基づいて、手持式デバイスの使用者に販売促進の機会を選択的に提供する
ことを特徴とする方法。
【請求項１７】
手持式デバイスの使用者に対して、コンピュータシステムのリフレッシュ可能なモニタのディスプレイ上で可視画像内の認識可能な被変調データを光検出器及びメモリで利用して、スポンサーから使用者に販売促進の機会を提供する方法であって、
前記デバイスの光検出器が前記リフレッシュ可能なモニタディスプレイに向くように手持式デバイスを操作し、
前記コンピュータシステムで利用可能なアプリケーションプログラムの実行を選択的に開始し、
リフレッシュ可能なモニタの表示を連続的にリフレッシュし、
前記ディスプレイ上に前記被変調データを含むリフレッシュされた可視画像を連続的に表示し、
前記リフレッシュされた可視画像に対応する被変調データを手持式デバイスで光検出器を介して受信し、
前記被変調データを手持式デバイスのメモリに保存し、
前記被変調データを受信、保存することによって使用者に販売促進の機会を提供する
ことを特徴とする方法。
【請求項１８】
前記リフレッシュ可能モニタはコンピュータのモニタであることを特徴とする請求項１７に記載の方法。
【請求項１９】
前記アプリケーションプログラムはコンピュータシステムに動的リンクライブラリ（ＤＬＬ）形式で保存されることを特徴とする請求項１７に記載の方法。
【請求項２０】
手持式デバイスの使用者に対して、コンピュータシステムのリフレッシュ可能なモニタのディスプレイ上で可視画像内の認識可能な被変調データを光検出器及びメモリで利用して、スポンサーから使用者に販売促進の機会を提供する方法であって、
前記デバイスの光検出器が前記リフレッシュ可能なモニタのディスプレイに向くように手持式デバイスを操作し、
前記コンピュータシステムで利用可能なアプリケーションプログラムの実行を選択的に開始し、
リフレッシュ可能なモニタのディスプレイを連続的にリフレッシュし、
前記ディスプレイ上に前記被変調データを含むリフレッシュされた可視画像を連続的に表示し、
前記リフレッシュされた可視画像に対応する被変調データを手持式デバイスで光検出器を介して受信し、
前記被変調データの受信によって使用者への販売促進の恩恵をトリガする
ことを特徴とする方法。
【請求項２１】
前記リフレッシュ可能モニタはコンピュータのモニタであることを特徴とする請求項２０に記載の方法。
【請求項２２】
前記アプリケーションプログラムはコンピュータシステムに動的リンクライブラリ（ＤＬＬ）形式で保存されることを特徴とする請求項２０に記載の方法。
【請求項２３】
コンピュータシステムのリフレッシュ可能モニタの水平周波数で可視画像内の感覚的に認識可能な被変調データをディスプレイで放送する方法であって、
アプリケーションプログラムをコンピュータシステムにダウンロードし、
前記アプリケーションプログラムをコンピュータシステムにインストールし、
前記コンピュータシステム上で前記アプリケーションプログラムを実行して、可視画像を前記リフレッシュ可能なモニタディスプレイに表示し、
前記水平周波数をディスプレイから検出し、
前記水平周波数のディスプレイリフレッシュを行うたびに被変調データを含む可視画像を連続して追跡する
ことを特徴とする方法。
【請求項２４】
前記アプリケーションプログラムはさらに動的リンクライブラリファイルの形式であることによって特徴づけられることを特徴とする請求項２３に記載の手持式デバイス。
【請求項２５】
ディスプレイ装置及び無線信号源からの信号、補助データを用いて手持式デバイスの使用者に販売促進の機会を提供するシステムであって、
前記ディスプレイ装置または無線信号源からの信号を受信し、補助データを手持式デバイスに送信し、使用者に手持式デバイスで受信処理された補助データへのフィードバックを提供する手段を有するデコーダボックスを有し、
補助データを受信する前記手持式デバイスは、
（ａ）  手持式デバイスに配置されて、前記ディスプレイ装置から補助データを直接受信するフォトセンサと、
（ｂ）  手持式デバイスに配置されて前記デコーダボックス及び無線信号源から送信された補助データを受信する無線周波（ＲＦ）受信機と、
（ｃ）  手持式デバイス上にあって、受信した補助データを復号する復号手段と、
（ｄ）  手持式デバイスに配置されて、手持式デバイスが受信した補助データを処理し、使用者に受信した補助データに基づいた販売促進の機会の機会を提供する中央演算装置（ＣＰＵ）及び回路と、
（ｅ）  手持式デバイスに配置されて、前記ＣＰＵと連結して販売促進の機会を保存するメモリと、
（ｆ）  手持式デバイスに配置されて、前記ＣＰＵと連結して、使用者に手持式デバイスの使用で利用可能な販売促進の機会を視覚的に通知する視覚ディスプレイと、
（ｇ）  手持式デバイスの使用による提供に責任を有する企業名を視覚的に使用者に通知するために、手持式デバイスの筐体に印刷されたスポンサーの名前と、
（ｈ）  手持式デバイスに配置されて、前記ＣＰＵ、フォトセンサ、ＲＦ受信機に連結されて、使用者に補助データの信号源を選択させるための制御部材と、
（ｉ）  前記ＣＰＵと連結し、補助データの受信に基づいて高性能な音声を使用者に提供する高機能音声回路と、
（ｊ）  前記ＣＰＵと連結し、調和のとれたサウンドパーフォーマンスを提供するために使用者にほかのデバイスと通信する手段を提供する音声調和回路と、
（ｋ）  手持式デバイスが補助データを受信中であることを示す照準光と、
（ｌ）  前記ＣＰＵに連結されて手持式デバイスをコンピュータ及びコンピュータに類似の装置に接続する入出力手段とを備える
ことを特徴とするシステム。
【発明の詳細な説明】
【技術分野】
【０００１】
関連出願に対するクロス・リファレンス
本出願は、Ｅｄｗａｒｄ  Ｊ．  Ｋｏｐｌａｒ，  Ｄａｎｉｅｌ  Ａ．  Ｃｉａｒｄｕｌｌｏ，  Ｊａｍｅｓ  Ｇ．  Ｗｉｔｈｅｒｓ及びＣｈｒｉｓｔｏｐｈｅｒ  Ｅ．  Ｃｈｕｐｐにより、２００１年４月９日に出願された米国特許出願第０９／８２９，２２３号「販売促進の機会用汎用手持式通信の方法とその装置」、Ｊａｍｅｓ  Ｇ．  Ｗｉｔｈｅｒｓ及びＡｌａｎ  Ｇ．  Ｍａｌｔａｇｌｉａｔｉにより、２００１年４月２１日に出願された米国仮特許出願第６０／１８５，１６１号「機会処理用ＲＢＤＳの方法とその装置」に基づき、双方とも参考文献としてここに組み入れ、その継続的保全を求めるものとする。
【０００２】
本発明は、対話型手持式デバイスに関し、より詳細には手持式デバイスによって使用される変調信号を受信、復号し、信号の受信によってデバイスの使用者に恩恵を与える方法とその装置に関する。
本発明の手持式デバイスは、様々な目的で被変調信号を受信する。その目的には娯楽、販売促進、情報転送、データ収集、商業的検証、安全、教育及び店頭における処置又は照会、並びに他の営業的、個人的、娯楽又は遊興などの目的が含まれるが、ここでは“販売促進の機会”と総称する。データは、光又は電気的手段（下記に記載）によって手持式デバイスに送られる。しかし、デバイスは特定の送信プロトコルとは関係なく、既知の他の変調送信プロトコルも使用できる。データは、スリーブ、クレードル、又はドッキング・ステーションを利用して手持式デバイスにより、光学的センサを通して、ＰＣＭＣＩＡ又は別のコンピュータポート、又はＦＭ、ＡＭ、又は選択した送信手段の種類に応じた望ましい他の無線周波手段によって受信できる。デバイスの利用により、使用者販売促進の機会を受信、処理、及び／又は保存できる。
【背景技術】
【０００３】
Ｂｒｏｕｇｈｔｏｎ等の米国特許第４，８０７，０３１号明細書（“Ｂｒｏｕｇｈｔｏｎ”）「対話型ビデオ方法とその装置」は、一般的に対話型デバイスへの命令及び他の符号化情報の帯域内ビデオ放送に関する。ここに記述される発明は、一般的に対話型教育的娯楽システムに関し、及び住居内部のように、テレビ受信器がある所に置かれる玩具のテレビ番組制御における一つの実施形態について記述する。
【０００４】
使用者へ恩恵を提供可能な制御データを符号化するために、Ｂｒｏｕｇｈｔｏｎは、複合ビデオ信号を作り出すビデオ信号の輝度又は色差変調の新しい方法を開示しており、それによってビデオ信号を変調することにより、制御データが生成される。新しい変調方法は、制御データを含むビデオ副搬送波を生成するために、近接する水平走査線の輝度／色差を交互に上げ下げする。
【０００５】
Ｂｒｏｕｇｈｔｏｎにおいて、ビデオ信号は他のデータと置換されず、データはビデオ信号とともに別の信号としても加えられるデータも同様であり、むしろビデオ信号を変調して続いて制御データを生成する。従って、制御データは、ビデオ信号の一部であり、又はその中に含まれる。符号化方法はまたプレビュー及び除去回路を含み、前者はデータ符号化の適合性又は存在を、後者はデータ符号化の除去を確認する。
【０００６】
制御データは、テレビ放送手段か、あるいはビデオディスプレイに接続された事前録画ビデオプレーヤによって送信される。制御データは、次いでビデオディスプレイのビデオフィールドが制御（すなわち補助）データによって変調されるビデオディスプレイによって受信される。制御データは、次いで制御データから番組材料を弁別する光電子又はＲＦ（無線周波数）検出手段の何れかによって検出される。検出された制御データは、更に制御データが対話型デバイスと共に使用できるように再生される。
【０００７】
上記のデバイスの実用例が、有名なテレビ番組を見ながら使用するように意図されたテレビ番組と同名の“Ｗｈｅｅｌ  ｏｆ  Ｆｏｒｔｕｎｅ”対話型テレビ（ＩＴＶ）の“Ｐｌａｙ−Ａｌｏｎｇ  Ｇａｍｅ”と呼ばれるような制御データを受信し検出する、商業的に販売される手持式ゲームである。Ｂｒｏｕｇｈｔｏｎの譲受人がライセンス生産するこのデバイスは、てのひらサイズのデバイスであり、かつデバイスケースの内部にビデオ信号を受信する光センサーを含んでいた。このデバイスは、複号ビデオ信号を受信すると制御データをビデオ番組材料から弁別し、玩具の前面パネル上の液晶ディスプレイ（ＬＣＤ）に言葉パズルの部分を表示させる。デバイスの使用者は参加者と共にゲームをし、又はゲームをビデオ録画した番組に応答して遊ぶ。キーボードを含むその手持式制御デバイスを有する“Ｗｈｅｅｌ  ｏｆ  Ｆｏｒｔｕｎｅ”対話型テレビ（ＩＴＶ）ゲームは、１９８８年に商業的に入手可能であった。
【発明の開示】
【発明が解決しようとする課題】
【０００８】
Ｂｒｏｕｇｈｔｏｎに記述される変調方法に改良を施したものが、Ｃｉａｒｄｕｌｌｏ等による米国特許第６，０９４，２２８号明細書及び米国特許第６，２２９，５７２号明細書に記述されている（以下、Ｃｉａｒｄｕｌｌｏと記す）。両特許は改良した変調方法を開示する。この方法において、反対方向の線対の輝度を変更することによりビデオ信号の視覚部分にデータを挿入し、信号内でより大量のデータを変調させる。Ｂｒｏｕｇｈｔｏｎ及びＣｉａｒｄｕｌｌｏは、共にここに参考文献として組み入れる。
【０００９】
ビデオディスプレイからの変調データ送信を受信できる手持式デバイスを提供するその他の者の努力が、米国特許第５，５９４，４９３号明細書、同５，７６１，６０１号明細書、同５，７６７，８９６号明細書、同５，９０７，３５０号明細書及び同５，９５３，０４７号明細書に表されている。これらの内、米国特許第５，９０７，３５０号明細書は、テレビセグメント内部に埋め込まれ、かつ通常のテレビセグメントと共に送信される上記の償還可能なクーポンを有する符号化データを受信し、デコードし、かつ記憶するいわゆるスマートカード上にデータを記憶する方法を開示している。米国特許第５，９０７，３５０号明細書のデバイスは、Ｂｒｏｕｇｈｔｏｎの原理に従ってテレビディスプレイから輝度信号を受信する手持式ユニットである。受信されたビデオ信号は、デコードされ、将来の使用に備えてカード内部に記憶される。ＬＣＤ読み出しは、記憶されたデータに対応するユニバーサルプライスコード（ＵＰＣ）を可能にする。スキャナは、償還場所でＵＰＣコードを読み出し、保存したクーポンをカードのメモリから消去する。マイクロプロセッサは、デコーディング相、記憶相及びキーパッドを通して使用と入力を行わせる。
【００１０】
上記特許で使用される用語“スマートカード”は、手持式の携帯デバイスを包含し、概念的に上記の“Ｗｈｅｅｌ  ｏｆ  Ｆｏｒｔｕｎｅ”ＩＴＶゲームデバイスと異ならない。しかしながら、この用語は、これらの特許にのみ適用されるものではない。
総称としての“スマート・カード”は、次第にクレジットカードに似たカードを意味するようになっているが、カードの中に埋め込まれ、組込まれるマイクロチップやマイクロプロセッサを含んでいる。スマート・カードは、一般にキロバイト未満からメガバイト（あるいはそれ以上）までのデータ記憶媒体を含む“指保持型”コンピュータと呼ばれ、フランスのＯｇｎｉｂｅｎｅ、Ｐ．Ｊ．、“スマート・カード”技術部門（１９９９年７月）が最初とされる。スマート・カードは、参考文献の列によれば、また“チップカード”とも呼ばれる。
【００１１】
本出願の発明者が従来から取り組んできた成果の一つとして、Ｅｄｗａｒｄ  Ｊ．  Ｋｏｐｌａｒ及びＤａｎｉｅｌ  Ａ．  Ｃｉａｒｄｕｌｌｏ（“Ｋｏｐｌａｒ”）が２０００年１月２１日に出願した米国特許出願第０９／４８９，３７３号「接続性を強化した対話型光カード及びその他の手持式デバイス」があり、参考文献としてここに記す。Ｋｏｐｌａｒは対話型宣伝広告及びゲームといった販売促進機会用の種々の方法や装置に関する。Ｋｏｐｌａｒにはデータを手持式デバイスに受信させ、提供する様々な方法及び販売促進の機会用の方法、装置について記載されている。
【００１２】
本発明では、“手持式デバイス”とは携帯可能な、好ましくは使用者の手のひらや指の間に収まる手持式の対話型装置を、若しくは使用者が簡単に手で取って操作できるものを意図している。
本発明の手持式デバイスは、スマート・カードの形式でも、移動電話のようなほかのタイプの手持式デバイスでも良い。最近、移動電話の容量は増加し、情報を保存、処理できるようになった。また、多くの電話は現在限定されたネットワーク又はインターネットアクセスを提供している。業界の専門家は、２００２年までに１億以上の移動電話が何らかの形態のインターネットアクセスを有し、２００３年までに１０億以上の移動電話が世界的規模で使用されるであろう、と推定している。このような移動電話は、インターネットアクセスの有無に関わらず、補助データを受信するために適当に構成すれば強力なツールとなる。
【００１３】
パーソナルデジタルアシスタンス（ＰＤＡ）は、別の形式の手持式デバイスであり、本発明の下、使用者に販売促進の機会を提供する。最も知られているＰＤＡの製造会社は、１９９６年に最初のＰＤＡ「Ｐａｌｍ  Ｐｉｌｏｔ」を世に出したパーム・コンピューティングである。Ｐａｌｍ  Ｐｉｌｏｔの最新版Ｐａｌｍ  ＶＩＩは１９９９年に発売され、モデムのような周辺機器を必要としない無線インターネットアクセス化可能なものとしては最初のＰＤＡである。
【００１４】
ＰＤＡ及び移動電話は、インターネットアクセスを使用者に提供できるものの、本発明の時点では、データ転送速度が遅く、その能力機能には限界があった。このような手持式デバイスや同様のデバイス、例えば大きさはコンパクトでも内容の豊富な手持式デバイス付きスマート・カードなどを提供し、情報の受信や処理に大きな遅れを出さずに、使用者を様々な販売促進の機会に参加するよう促すことが望ましい。スマート・カード、移動電話及びＰＤＡのいずれからも本出願に述べる販売促進の機会に参加することが可能であり、これらを総称して本発明の“手持式デバイス“と呼ぶものとする。
【００１５】
“スポンサー”という言葉を、ここでは最も広い意味において用いる、また限定なく手持式デバイスを出す企業、及びカードの使用者のためにこれらのデバイスを認め、償還サービスを提供する企業を含む。スポンサーは保健及び医療機関及び他のサービス又は慈善団体を含んでも良い。
用語“コンピュータ”は、ここでは最も広い意味において用いる、また限定なくラップトップコンピュータ、パーソナルコンピュータ、移動電話、パーソナルデジタルアシスタント又は他のコンピュータと同等なデバイスを含んでも良い。
【課題を解決するための手段】
【００１６】
いくつかの目的の中で、特筆すべき本発明の特徴と利点は、新規なそして商業的に有利な信号発信、情報転送及び価値表示方法の色々なモードを実行する対話型手持式デバイスを提供することにあるといってもよい。本発明の手持式デバイスは、補助データを受信する手段を含むスマート・カード、移動電話及びパーソナルデジタルアシスタント（ＰＤＡ）のような携帯用デバイスである。ここに記述される販売促進機会の幾つかを提供するために、手持式デバイスは、ここでは“ネットワークアクセス”、“無線アクセス”、“インターネットアクセス”、又は“無線インターネット”と互換的に呼ぶことにする、インターネットに接続する手段を持つことが好ましい。これらの手持式デバイスは、無線送信、コンピュータシステム、ビデオ録音、ビデオ送信又はオーディオ及び／又は他のデータを再生するその他の発信元を含む発信元からの補助データの受信に反応する。
【００１７】
手持式デバイスは、発信元から電子的及び／又は光学的手段を介して補助データを送信するのに、Ｂｒｏｕｇｈｔｏｎ及びＣｉａｒｄｕｌｌｏに記載された変調復号方法を利用することが好ましいが、その他既知の変調方法、垂直帰線消去区間（ＶＢＩ）、オーディオ複搬送波、電磁複搬送波、ビデオ復号のＲＦ検出等を利用してもよい。しかしながら、手持式デバイスの特定の実施形態においては、本明細書で後に述べる無線放送データシステム（ＲＢＤＳ）変調復号方法を用いることが好ましい。
【００１８】
テレビ、テレビモニター、テレビと同様なすなわち、被変調ビデオ信号を含む画像を表示可能な画像表示装置などの全てのビデオディスプレイをここでは簡単に“ディスプレイ装置”と総称する。補助データを含むビデオ信号は放送、ケーブル、標準デジタルビデオ方式、衛星又は家庭用ビデオでディスプレイ装置に送信される。手持式デバイスまた、無線送信やデコーディングボックスを介して直接受信しても良く、ビデオではないディスプレイから受信した補助データにも応答する。
【００１９】
手持式デバイスは様々な販売促進の機会用に信号を受信、検出、再生する。様々な販売促進の機会とは、すなわち、娯楽、販売促進、クーポン又は景品確認、スポンサーによる広告、広告検証及び世論調査、情報転送、データ収集、商業上の検証、安全性及びアクセス、教育、ゲームプレイ、スポンサー企業又はインターネットを含む関連する商業地の店頭における取引、確認又は償還、他の商業上及び非商業上の目的等を指す。
【００２０】
下記に新システムが提供する利点と目的のいくつかを例示する。すなわち、テレビ広告応答判定、対話型の広告及び販売促進、視聴者の関心喚起、営業的広告、メッセージ、案内、プロモーション、及び特定製品とサービスに関する顧客の認識及び記憶を効果的に高める、顧客の製品とサービスに対する差別化の強化、視聴者にコマーシャルを見る気にさせる、コマーシャルメッセージに対応した小売店情報網の強化、忠実な消費者の育成、番組内容への視聴者の関わりを増やす、コマーシャルや他のメッセージの内容に関する視聴者の記憶を高める、コマーシャルメッセージの価値の強化、製品／サービス販売の増強、広告コストの節約、配信したコマーシャルメッセージに対する顧客の応答時間の加速化、コンテスト及び賞金賞品の検証、関連ウェブサイトのドメイン名について視聴者の記憶を高める、電子商取引に関連する障壁の低減、付加的、時には瞬時にインターネットで得られる報酬と情報。その使用及び利点は、下記の記述でより十分に展開される。
【００２１】
簡潔にいえば、ここでは補助データの受信から恩恵を引き出す様々な手持式デバイスについて述べる。補助データは、ビデオ信号を変調することにより符号化され、それによって補助データ及び連続ビデオプログラムデータより成る複合ビデオ信号を生成する。複合ビデオ信号は、手持式デバイスで受信使用できるようにディスプレイデバイスに送信され表示される。
【００２２】
手持式デバイスがスマート・カードの場合、補助データを受信する方法として、光学的に検出し、かつスマート・カードに補助データを引き出すことが好ましい。使用者は、先ずスマート・カードがディスプレイデバイスからビデオ信号を受信できるように、スマート・カードの光学受信器の位置を定める。手持式デバイスは、作動され適当な位置にある時、ビデオ信号の受信を開始する。手持式デバイスの回路は、補助データがビデオ信号中（すなわち、受信されたビデオ信号は複合ビデオ信号である）にあるかどうかを判別する。もし、補助データがあれば、手持式デバイスは補助データを使用するために再生する。
【００２３】
手持式デバイスが移動電話又はＰＤＡである場合、補助データを受信する方法として、デコーダボックスの使用によりビデオ信号から補助データを検出し、かつ電子的に引き出すことが好ましい。デコーダボックスは好ましくは、補助データが発信元からＲＣＡジャックを用いてビデオ信号を受信する。補助データが存在する時、デコーダボックスから手持式デバイスへ送信される。手持式デバイスへの送信は、手持式デバイスが照準され、又は物理的にデコーダに接続される必要がないように、ＲＦを通して行うことが好ましい。この光学的送信方法はスマートカードに好適であり、電子的送信方法は移動電話やＰＤＡに好適であるが、双方の方法や他の既知の方法、変調方法、垂直帰線消去区間（ＶＢＩ）、オーディオ複搬送波、電磁複搬送波、ビデオ復号のＲＦ検出を用いた方法等も互換性があり、本発明の手持式デバイスのいずれと共に用いてもよい。
【００２４】
補助データを手持式デバイスで再生する場合、使用者は様々な信号、マーク、ディスプレイ読みだし、他の対話型イベントから、補助データの内容に応じて恩恵を受けることができる。Ｋｏｐｌａｒに記載された様々な対話型イベントは、参考としてここで述べるが、手持式デバイスと又は関連して、本発明を使用する方法と交換可能に利用できる。互換性には本発明の特徴及びＫｏｐｌａｒの様々な装置や方法を選択的に使用することが含まれる。
【００２５】
手持式デバイスの筐体の形や形式は一般的にスマートカード、手のひらサイズのデバイス、移動電話のものである。さらに他の手で操作可能な、同様な大きさや性能のデバイスでここに記載するように補助データを受信処理可能なものもまた、本発明の範囲内である。また適当な又は望ましい電子的又は光学的方法でデータを受信するものであってもよい。このような手で操作可能なデバイスにはぬいぐるみやおもちゃ、スナップショット型カメラ、スポーツヘルメットのレプリカ、レーシングカーのミニチュア、野球バットのレプリカなどが含まれる。
【００２６】
無線方法データサービス（ＲＢＤＳ、米国以外ではＲＤＳとして知られる）は最近、ＦＭラジオ受信機に文字を送る方法としてＦＣＣより認可を受けた。ＲＢＤＳの用途として、コールサイン／スローガン表示情報、歌のタイトル／歌詞、交通及び天気情報などが考えられる。特にカーラジオはＲＢＤＳを用いて、若しくは標準周波数読み出しで受信した文字をカーラジオのＬＣＤチューニング表示窓に表示できるように設計されたものである。このシステムの速度（処理量）は１２００から２４００ｂｐｓと非常に遅い。今日では実用例が全くなく、十分に活用されていない。
【００２７】
無線を売り込もうとする人々は長い間、無線広告と印刷広告を比較する広告主から受ける基本的な反対意見（すなわち無線ではハードコピーのクーポンは提供できない）に対して答えに窮してきた。広告主は、印刷広告は無線広告には存在しない償還されたクーポンという紙を辿ることができるので、常にクーポンを宣伝の効果を計るのに確実な方法であると考えている。すなわち、“空中に放された”販売促進の機会を直接手持式デバイスで受信することによって、無線クーポンの実用的な手段を提供することが望ましい。
【００２８】
Ｂｒｏｕｇｈｔｏｎ及びＣｉａｒｄｕｌｌｏに記載されたデータ送信の方法は、テレビのようなほかのディスプレイ装置とは逆に、データをコンピュータのモニタから送る際により複雑になる。コンピュータは常にモニタの表示画面を更新する。ビデオカードを常に更新し、コンピュータがビデオを表示することに関連した要因から、モニタに表示されたビデオ信号をリアルタイムに変調することは困難であり、多くの場合非実用的である。本発明はより目立たない方法で、データをモニタから手持式デバイスに送信する。
【００２９】
本発明の他の様々な装置及び方法は、下記の記載と特許請求の範囲により規定される。同様に、他の目的及び特徴は下記により明白に、より特定されるであろう。
【発明を実施するための最良の形態】
【００３０】
図１を参照して、本発明のシステムにおいて、ここに記載する色々な方法に従って、複合ビデオ信号をディスプレイデバイス１０で受信、投影し、本発明の対話型手持式デバイス１２の第一実施形態で受信する。ディスプレイデバイス１０は、テレビ画面、ビデオモニター又は他のビデオディスプレイ、映画のスクリーン、コンピュータモニタ、ビデオ変換ディスプレイ又はビデオと同様なディスプレイつまりテレビ送信機、ビデオテープ、ストリーミングビデオサーバー、デジタル多用途ディスク（“ＤＶＤ”）、又はこのような画像の発信元のコンピュータ化したディスプレイ表現といった適当な発信元からアナログ又はデジタルビデオ又はビデオ代理信号を受信可能なものを代表する。
【００３１】
ディスプレイデバイス１０は、おおまかにはビデオ信号を表示するビデオディスプレイを表すが、如何なる種類の電子ガン、視覚モードで画像情報だけでなく、実質的な透過モードで補助情報（すなわちデータ）も提供できる作動アレイ又は受動アレイディスプレイデバイスでも良い。ディスプレイデバイス１０は、更にコンピュータモニタ又はディスプレイ、及びディスプレイデバイスの一部やウィンドウでもよい。ディスプレイデバイス１０はまた、高品位又はデジタルテレビ又は他のデジタルビデオ表示デバイスでも良い。ディスプレイデバイス１０の大きさは様々で、ソニーのＷａｔｃｈｍａｎ（登録商標）や映画のスクリーン又はソニーのＪｕｍｂｏｔｒｏｎ（登録商標）ぐらいの大きさのものでもよい。ディスプレイデバイス１０が受信可能なビデオ信号には、マイクロ波リレー、人工衛星送信又はケーブル、ストリーミング及び他のタイプのダウンロード可能な又は視聴可能なコンピュータビデオ番組、及び一般的に有線又は無線方法によって利用できるコンピュータビデオ番組を含む。複数の図の中で、同じ参照記号は同じ要素を表している。
【００３２】
新対話型手持式デバイス１２は、スマート・カード、携帯電話、ＰＤＡ又は他の手のひら型デバイスのような手動操作デバイスの如何なるタイプの形式で良い。図１に示した手持式デバイス１２の筐体１４はスマート・カードの形式をとっている。手持式デバイス１２は使用者が手のひら又は指の間に握り、通常はディスプレイデバイス１０の近くで多くは同じ部屋内で、必要な場合は前面１６をディスプレイデバイス１０に向けてデバイス１２がディスプレイデバイス１０からのビデオ信号の視覚表現からの光を光学的に受信して使用される。手持式デバイス１２がスマートカードの場合、補助データを受信するように構成され、適当な方向に向けて、図１に示すようにデバイス１０でディスプレイデバイス１０からビデオ信号を取得する。
【００３３】
図２の手持式デバイス１２はＰＤＡであり、保持、使用される状態で示している。手持式デバイス１２は、デバイスの色々な回路及びその構成要素を収納するＰＤＡサイズの筐体１４を含んでもよい。筐体１４は好みに応じて、正常に機能し手動操作可能な手で持てる形のもであればいかなるものでもよい。例えば、図示したＰＤＡ、携帯電話、ＰＣＭＣＩＡカード、スナップショット型カメラ、複製のスポーツヘルメット、複製の野球バット又はフットボール、又はミニチュアレーシングカーなどである。
【００３４】
手持式デバイス１２の前面１６、ＬＣＤ４４上には、スポンサー１７のブランド名と、恐らく使用者が手持式デバイス１２とスポンサー１７との関連がわかるような情報又は印が印字されている。手持式デバイス１２が、スマート・カードの形式をとる時のように廉価で製造できれば、企業は手持式デバイスの配布により積極的になるので、スポンサー１７がこれらのデバイスに含まれる頻度も高くなるはずである。しかしながら、手持式デバイス１２が販売促進の機会を受信する以外の主要用途を持つ携帯電話やＰＤＡのような使用者の多機能パーソナルデバイスである場合は、このような印が含まれることは少なくなる。スポンサー１７は、ホテル、電話会社、ＰＤＡサービス会社、営業所といった自社のサービスの利用者に手持式デバイスを提供する企業であってもよい。スポンサー１７は利用者に恒久的又は一時的な手持式デバイスの使用権を与え、アクセス、特典及び／又は報酬を提供してもよい。またスポンサー１７には広告会社、インターネットウェブサイト、テレビ番組など様々な企業が考えられる。また手持式デバイスを使用して利用者に販売促進の機会を提供する行事、番組、イベントを主催、又は参加する団体であってもよい。
【００３５】
図２に示した手持式デバイス１２はＲＦアンテナ６８及びレンズ３６を有しているので補助データを光学的手段、電子的手段の双方で受信することができる。手持式デバイスにこのような受信手段があれば、多くの場所で多くの販売促進の機会に利用可能である。すなわち、本発明によれば使用者はスタジアムやアリーナといった場所で行われる試合中に、手持式デバイスで補助データをＲＦアンテナ６８を介して電子的に受信したり、又は家庭で試合を見ながら、先端エッジ１８をディスプレイデバイス１０に向けて（図１）、光学的に補助データを受信したりすることもできる。使用者は同じ手持式デバイス１２を用いて多くの場所で行われるプロモーションに参加することも可能である。
【００３６】
好ましくは、手持式デバイス１２のボタン２２で使用者が補助データを電子的手段（例えばＲＦアンテナ６８）と光学的手段（例えばフォトセンサ３０）のどちらで受信するかを選択できるようにする。使用者が場所によって受信手段を選択することによって、電力の節約ができ、希望しない補助データを受信しないですむようにすることが好ましい。また、手持式デバイス１２をデータ入力手段を監視するように構成し、ここに記載した方法のいずれかで補助データがデバイス１２に送信されているかどうか判断するようにしてもよい。
【００３７】
図３に示すとおり、手持式デバイス１２の先端エッジ１８はレンズ３６に装備され、光学手段を介してデバイス１２で補助データを受信する手段を備える。手持式デバイス１２の前面１６から見えるのはＬＣＤ４４、４つの光受容ダイオード又は他の電子発光源２０ａ，２０ｂ、２０ｃ、２０ｄである。所望の販促用途に応じて、手持式デバイス１２は上記ＬＣＤ４４、光源２０ａ，２０ｂ、２０ｃ、２０ｄの全てを含んでもよいし、その内の１つ若しくは全く含まなくてもよい。デバイス１２はＫｏｐｌａｒに記載された様々な使用者用制御手段を備えてもよい。例えばキーパッド（図示せず）を設けて使用者が特定の機能や追加の用途を入力できるようにする。
【００３８】
図４の手持式デバイス１２はスマートカードであり、保持、使用される状態で示している。手持式デバイス１２の先端エッジ１８はレンズ３６又は小さな開口部３７を有してビデオ信号を筐体１４内フォトセンサ３０に入射させる。手持式デバイス１２の前面１６から見えているのは、複数の発光装置２０であり、光受容ダイオード（ＬＥＤ）や能動もしくは受動型ＬＣＤの領域などの他の電子発光源であってもよい。
【００３９】
手持式デバイス１２を補助データを光学的に受信するのに使用する一般的な方法は以下の通りである。デバイス１２の使用者が、コマーシャル、テレビ番組、映画、又は他のビデオの番組などをテレビで見ている。このような番組が表示されると、使用者は、図３や図４に示した手持式デバイス１２をデバイス１２の使用方式に応じた持ち方で保持する。使用者は、先端エッジ１８がディスプレイデバイス１０からのビデオ信号を受信できる位置に来るように手持式デバイス１２の位置を定める。手持式デバイス１２又はディスプレイデバイス１０は、スポンサー企業のコマーシャル放映時のような都合の良い時に、検出ボタン２３を押すことを視聴者に知らせる印を有しても良い。ここで言う“ボタン”には、膜スイッチ、押す又は触れることで作動させ、ここに記載する様々なボタンの機能のいずれも実行可能な領域を含むものとする。使用者が検出ボタン２３を押すと、ビデオ信号は筐体１４内部の光検出器によって検出、受信される（プロセスは下記に記載）。複合ビデオ信号は、上記に参照したＢｒｏｕｇｈｔｏｎ及び／又はＣｉａｒｄｕｌｌｏの教示に基づく補助データと共に変調されたビデオ信号を有する。手持式デバイス１２の回路によって実行される判別器は、補助データが番組のビデオ信号と一緒に伝送されたかどうかを判定する。
【００４０】
手持式デバイスで電子的に補助データを受信する一般的な方法は以下の通りである。ビデオ信号はＲＣＡケーブルを介してＶＣＲなどの信号源（図示せず）から送信されて、図５に示すデコーダボックスに受信される。デコーダボックス８２は補助データを判別し、ＲＦ又は、ＩＲ、コンピュータポート及び直接的なワイヤ接続などのその他の手段によって手持式デバイス１２に転送する。さもなければデコーダボックス８２がスーパーＶＨＳ、ファイヤ・ライン、同軸ジャックなどの方法でデータを受信するか、ディスプレイデバイス１０の回路に組み込んだＲＦアンテナ又は信号源に接続してビデオ信号を受信するようにしても良い。図５からわかるように、デコーダボックス８２はアンテナ８４を有し、手持式デバイス１２、ＲＦジャック８６との間でＲＦ信号を送信、データを信号源及びネットワーク・インターフェース・ジャックから受信してコンピュータネットワーク又は直接にコンピュータ（図示せず）と接続する。
【００４１】
デコーダボックス８２を双方向デバイスとして機能させて手持式デバイス１２からフィードバックを受けるようにしても良い。またスコーピオンプロッセサなどのグラフィック描写部（図示せず）を設けて、ディスプレイデバイス１０上に手持式デバイス１２から受信した情報を表示しても良い。デコーダボックス８２を適当なネットワーク接続を介して、ネットワーク・インターフェース・ジャック８８にネットワークアクセスできるようにして、手持式デバイス１２でネットワークアクセスをする際の補助又は代替としても良い。デコーダボックス８２にＶＣＲのような周辺機器を制御する手段を設けて、テレビ番組のスケジュール等の情報を受信して、デコーダボックス８２やＶＣＲ（図示せず）にテレビ番組録画要求を出すことも可能である。
【００４２】
図６において手持式デバイス１２の判別器がディスプレイデバイス１０から受信したビデオ信号に補助データが含まれている、又は他の手段が補助データを受信したと判断すると、デバイス１２の回路はプリント配線基盤２６上にあるオーディオトランスデューサ３４に音、すなわち“ビープ音”を出させ、補助データをきちんと受信したことを知らせる。筐体１４の前面又は裏面に適当な開口部３７を設けてオーディオトランスデューサ３４から音がデバイス１２の使用者に流れるようにすることもできる。
【００４３】
手持式デバイス１２に音を出すより高度な進んだ手段を設けても良い。高度な音響回路で、よく知られるオーディオフォーマットＭＰ３、ＭＩＤＩ（ここでは高度な音声と呼ぶ）などのディジタルオーディオを演奏できるようにする。もしくは音声を手持式デバイス１２にダウンロード又は予め記録して、音声が必要な場面でデバイス１２の回路がオーディオトランスデューサ３４や他のハードウェア（図示せず）を通して音声を送り、デバイス１２の使用者が音声を聞けるように構成しても良い。また、ボタン２２及び／又は受信ボタン２３を作動するなどの使用者の要求に応えて、音を演奏する構成にすることもできる。
【００４４】
手持式デバイス１２に事前に録音、設定された音声や販売促進の機会を使用者が当初使えないような構成にすることもできる。特定のデータを受信すると、この初期設定が解かれて、使用者は音声を利用できる。音声や販売促進の機会を制限時間内のみ、又は無制限に利用可能にしてもよい。
本発明のさらなる特徴は、手持式デバイス１２の回路構成が他の装置、他の周辺機器（図示せず）との間の音声の送信及び再生を調整することにある。この回路をここでは音声調整回路とする。一旦音声が手持式デバイス１２で利用可能になると、デバイス１２の使用者は希望の販促イベントに応じて音声を演奏する。Ｋｏｐｌａｒに記載されたコンピュータインターフェース７０やＩＲ、ＲＦ等の通信手段を利用して、他のデバイス１２から音声やトリガを送受信することによって、手持式デバイス１２は他の様々なデバイス１２と歌を同期させることもできる。
【００４５】
また、この回路で１つ以上の光２０を操作して受信した値を示しても良い。手持式デバイス１２に光２０を装備することによって、デバイス１２は販売促進の機会を提供可能になる。
図７は手持式デバイス１２の前面に設けた照準光２４の特徴を示している。照準光２４は標準的には手持式デバイス１２がディスプレイデバイス１０から発せられたビデオ信号を受信可能な位置にあることを示すためにビデオ信号を光学的に受信する際等の実施形態に含まれる。手持式デバイス１２の先端エッジ１８がディスプレイデバイス１０の方を向いている間にボタン２２が押されると、デバイス１２の受信された複合ビデオ信号はビデオ信号を受信中であることを示す照準光２４を点灯させる。照準光２４はデータ受信している間ずっと点灯し、又はデバイス１２が正しい方向を向いていることを示す所定の時間、又は符号化した信号をデバイス１２で受信するのに十分な時間点灯する。照準光２４を手持式デバイス１２でビデオ信号を電子的に受信し補助データがＩＲ、ＲＦ、コンピュータインターフェース７０等を介して受信中であることを使用者に知らせる際に用いることもできる。
【００４６】
図６に戻って、手持式デバイス１２の特徴を説明する。特徴にはボタン２２及び照準光２４を有する集積回路２８を含むプリント配線基板２６が含まれる。図示した配線基板２６はフォトセンサ３０を有している。フォトセンサ３０は、手持式デバイス１２の先端エッジ１８沿いの適当な開口部３７（図示せず）を通して光を受光できるような方向を向いている。開口部３７は図２及び図３に示されるような位置にあっても良い。この回路基板２６は１つ以上のバッテリ３２もしくは他の適当なセルを電力源とし、手持式デバイス１２の数日、数週間、数ヶ月、又は数年に亘る動作に十分な電力を提供する。バッテリ３２は、太陽電池３３のような携帯可能な電力（図１０）等の同様な電源と共に使用してもよい。ここに記載する補助データを処理可能なＰＤＡ、携帯電話、又は他のコンピュータと同様なデバイスなどの電子機器は、さらに多くの回路（図示せず）を有して本発明とは関係のない機能を提供すると当該技術において理解されるものとする。
【００４７】
回路基板２６上に三つの光２０が図示されている。これらの光はＬＥＤであってもよい。しかしながら、図６から、回路基板２６はこのような光三つ以上の能力を持つこともあるとする。例えば、９個までのＬＥＤを点灯させる回路を含んでもよい。
図８を参照して、ＬＣＤ４４を有する手持式デバイス１２の実施形態を示す。ＬＣＤ４４はグラフィックを白黒で表示可能であるが、カラーでの使用が好ましい。若しくは、ＬＣＤ４４は１６デジットの文字ディスプレイであるが、必要性と用途に応じて表示能力を付加、削減しても良い。
【００４８】
手持式デバイス１２はパワーボタン３８を有する。パワーボタンが押されると、ＬＣＤ４４はクーポン、景品通知、又はデバイス１２が補助データを受信したことを示す他の情報を表示する動作を開始する。例えば、ＬＣＤ４４を用いて、循環する関連オファーのリストに第一クーポンを表示する。またパワーボタン３８を押して、ビデオ信号の受信を開始し、又はほかの表示、ボタン２２とは別の制御目的で使用する。スクロールボタン４０により使用者は、手持式デバイス１２に保存、又は受信された情報、例えばデバイス１２で受信、保存された循環する関連オファーのリストを、横断すなわちスクロールできる。これらのボタン２２、２３（図示せず）、３８、４０、４２の何れも携帯電話の数字ボタン又はＰＤＡの短縮ボタンのような、他の予め備えられたボタン（すなわち、ほかの機能）を用いることによって実行されると当該技術上理解されるものとする。更に、これらのボタン２２、２３，３８、４０又は４２をタッチスクリーンを介して、又は物理的なボタン２２、２３，３８、４０又は４２を手持式デバイス１２上で仮想的に実行できるものと理解される。満了ボタン４２はＫｏｐｌａｒに開示された方法で作動する。図８に示すように、手持式デバイスが受信したオファーは光２０を点灯するだけではなく、ＬＣＤに文字情報やグラフィックで表示することもできる。
【００４９】
図９は筐体１４を除いたカード式手持式デバイス１２の特徴を示している。ＬＣＤ４４及び制御部３８，４０，４２が見て取れる。回路基板２６の右側には１組のバッテリ３２が配置されている。
図１０は、入出力手段を有する手持式デバイス１２の別の実施形態のチャートである。入出力手段は、通常ラップトップコンピュータに見られるようなパーソナルコンピュータメモリーカード国際協会（“ＰＣＭＣＩＡ”）のインターフェース７０の形式をとることが好ましい。手持式デバイス１２のＰＣＭＣＩＡインターフェース７０はＰＣＭＣＩＡコネクタ７２と接続して情報をやりとりする。ＰＣＭＣＩＡインターフェース７０とコンピュータとの接続は、ＰＣＭＣＩＡポートによって為されるのが好ましいが、接続手段は代わりに他の既知のコンピュータ、コンピュータ同様なスロット、接続、及びイーサネット（登録商標）、トークンリング、赤外線（“ＩＲ”）、ＲＦ、小型コンピュータシステムインターフェース（“ＳＣＳＩ”）、ユニバーサルシリアルバス（“ＵＳＢ”）、パラレルポート（“Ｐａｒａｌｌｅｌ”）、シリアルポート（“Ｓｅｒｉａｌ”）、ＩＥＥＥ１３９４ＦｉｒｅＷｉｒｅ（“ＦｉｒｅＷｉｒｅ”）、Ｓ／ＰＤＩＦ、ＡＥＳ／ＥＢＵ、光ファイバーケーブル、及びアップルデスクトップバス（“ＡＤＢ”）のようなポートでもよい。手持式デバイス１２はまた、手持式デバイス１２からコンピュータへ情報を手動で転送するために、フラッシュメモリー、ミニディスク、又はスティックメモリーのような携帯可能なデータ記憶装置を利用できる。様々な手持式デバイス１２の仕様で用いられる接続の種類は、コスト、転送速度、及び産業界の受容度、使用者の好みなどの要因に応じて変更可能である。ＰＣＭＣＩＡインターフェースを有する手持式デバイスの実行とその使用方法はＫｏｐｌａｒに開示されており、本発明と互換的に使用しても良い。
【００５０】
図１１は、ＰＣＭＣＩＡインターフェース７０及びドッキング・ステーション７６の形式の入出力インターフェースを備えた手持式デバイス１２の別の実施形態である。ドッキング・ステーション７６は、識別された補助データ又は複合ビデオ信号を受信し、かつどちらか一方をＰＣＭＣＩＡインターフェース７０によって手持式デバイス１２へ転送する。あるいは、ドッキング・ステーション７６にフォトセンサ３０を備えてディスプレイデバイス１０からのビデオ信号を光学的に検出する。次いで、全ビデオ信号を手持式デバイス１２に転送してデバイス１２が補助データを識別するか、又はドッキング・ステーション７６自身が補助データを識別しデバイス１２へ伝送する。データは、ＩＲ、ＲＦ又はＰＣＭＣＩＡインターフェース７０によってドッキング・ステーション７６から手持式デバイス１２へ送信される。図１３は手持式デバイス１２がドッキング・ステーション７６から補助データを受信する方法を示している。
【００５１】
図１１に戻って、ドッキング・ステーション７６は、バッテリ充電制御部８０からバッテリ２２を充電する。ドッキング・ステーション７６は、インターフェースドライブ７８を介してマイクロプロセッサ５０を制御することによって、手持式デバイス１２の様々な機能を実行する。
図１４は、“スポーツ用”デバイスと呼ぶ手持式デバイスの１タイプを示している。このデバイスは前面１６に備えられる筐体１４を有する。前面１６にはスポーツ選手の画像を載せるビジュアル領域５４が含まれる。さらにＬＣＤ４４はボタン２２を備えて使用者が手持式デバイス１２の動作を開始させられるようにする。ＲＦアンテナ６８でＲＦ信号を受信する、又はフォトセンサ３０（図２）を介して複合ビデオ信号を光学的に受信するのが好ましい。例えば、先端エッジ１８が有名スポーツ選手やディスプレイデバイス１０に表示されたほかの人物に関する番組を提供するディスプレイデバイス１０に向くように手持式デバイス１２を持つ。この“スポーツ用”デバイス１２はＫｏｐｌａｒやここに記載された方法で装備、構成、使用される。
【００５２】
例えば、野球の試合中に有名なバッターに打順が回ってきたときに、テレビの視聴者はスポーツ用デバイス１２をディスプレイデバイス１０に向け、複合ビデオ信号を受信する。また好ましくは補助データを電子的に受信できるようにデバイスを構成する。どちらの場合も、視聴者は手持式デバイス１２を介して放送の間好きなスポーツ選手についてのデータをリアルタイムで受信する。その上、使用者が生のスポーツイベントでスポーツデバイス１２を使う場合、ＲＦ又はＩＲなどのように、ディスプレイデバイス１０を使用せずに補助情報を受信できる。こうして、スポーツファンは、会場や家で生で試合を見ながら手持式デバイス１２を使って生の統計データ及び細かい情報を入手できる。従って、見えにくい場所にいるファンやスポーツ熱狂者は、スポーツイベントを生で楽しみながら手持式デバイス１２で追加情報を得ることができる。スポーツデバイス１２で受信した情報は、上述したように平均打率、ホームランなどのデータ、将来の参考又は更新用としてデバイス１２に保存される選手の個人情報などの多くの形式を取ることができる。手持式デバイス１２のこのような情報提供の一例を図１５に示す。スクロールボタン４０又は更新ボタン５６を押すことによって、記憶された情報はデバイスの所有者に都合良くＬＣＤ４４上に表示される、さもなければＰＣＭＣＩＡインターフェース７０（図示せず）を通じてコンピュータに転送される。
【００５３】
スポーツ用手持式デバイス１２を野球の試合に使用したのは、単なる説明のための１例にすぎない。選手のデータが試合中、一年を通して変化するスポーツ、又は地元の町、過去のチーム等の選手に特有の情報のある他のスポーツも同様に手持式デバイス１２でダウンロード及び通信できる。手持式デバイス１２を同様な方法でコンサートや他の特定のショーなどにも利用できる。使用者は演奏者の名前、セットリスト、開催地やその歴史、関連インターネットのアドレスといった有益な情報を手持式デバイス１２で補助データを受信することによって得ることができる。聴覚障害者は生の演説の原稿をリアルタイムで受信することができる。また、補助データを含む送信がなされるライブやビデオの番組中に、手持式デバイス１２を用いて記念碑、建物、車など様々なものに関する情報を受信しても良い。
【００５４】
手持式デバイス１２の具体的な応用例として、次のものが挙げられる。使用者はテレビで人気番組“誰が百万長者になりたいか？”などのゲーム番組を見ている。使用者は、手持式デバイス１２を利用して番組でプレーすることができる。質問を補助データやここに記載した方法を用いて、放送の間又は放送に先立って手持式デバイス１２にダウンロードし、受信する。質問を同時進行でディスプレイデバイスに表示し、ディスプレイデバイス１０に最初に質問が表示されると、補助データが手持式デバイス１２に送信されて質問と可能な回答が表示される。使用者は、正解を選択するか、又は時宜を得たやり方で順番に回答を出し、又はその番組の回答ルールに従って番組の出場者と同様な方法で回答する。使用者は、正解又は時間内に回答した場合、正解した他の使用者の数や回答までにかかった時間などの様々な要因に応じてポイント又はクレジットを受け取る。夜、家で見ている視聴者の割合が、国別、地域別、また他の区域別にリアルタイム又は遅れてディスプレイデバイス１０、インターネットウェブサイト、又は手持式デバイス１２上に表示される。こうして、使用者は自分の成績に応じた地域内又は国内のランキングを得ることができる。色々なゲームの最終結果は、中央のデータベースに記憶される。高得点を獲得した使用者は、表彰、景品、又は将来テレビに出場する権利を得ることができる。
【００５５】
手持式デバイス１２の具体的な応用例として、次のものが挙げられる。すなわち、使用者は手持式デバイス１２を取ってディスプレイデバイス１０から変調ビデオを受信できるように適宜設定する。“グラミー賞”のようなイベントを見ている間に、演奏者が画面上に登場し歌を歌う。使用者はディスプレイデバイス又は手持式デバイスの一方から販売促進の機会が利用可能であるとの通知を受ける。これは、変調ビデオがデコーダボックス８２のグラフィック再現部を作動させアイコンを作成してディスプレイデバイス１０上に表示することが好ましい（このようなユニットを持たない人のディスプレイデバイス１０には表示されない）。手持式デバイス１２は、使用者に登場した演奏者の歌又はアルバムを購入する機会を提供する。購入代金は、オンラインで自動的に、又は第三者のインターネットウェブサイトを通して支払われるか、又はウェブサイトに入力されるか、そこから支払われる。又は、使用者が望むならば、最終確認を要求する注文書及び支払い情報を使用者のＥメイルアドレスに送ってもよい。使用者は、次のような方法で音楽を購入する。関連番組“ＣＤＮｏｗ”のような第三者のウェブサイトを通じて直接購入する、又は発売元から直接購入する。さもなければ、お買い得情報のような関連情報を使用者の希望のメイルアドレスへ送られる。過去にリリースされていない曲の入ったボーナスディスク、ライブの歌、将来の製品の値引きといったボーナス又は追加特典を購入した製品と共に送る。使用者はその歌を適当なデジタルフォーマットにして自分のメイルアカウントに送付してもらうことを選択したり、ある一定の期間だけ選択した歌を使用者がダウンロードできるようにしたりすることもできる。最後に、その歌をリストの一部として、ＣＤの長さに達すると自動的にＣＤを制作し使用者に送るようにしてもよい。この購入方法は、他のいかなる販売される製品（“ＱＶＣネットワーク”での宝石のような）にも使用できると当該技術において理解されるものとする。
【００５６】
この技術の他の使用例として、テレビ配信用の参加型ゲーム番組が挙げられる。放送、ケーブル、衛星から直接、有線放送用に制作、配信されたものか家庭用ビデオやＤＶＤで配信されたものかは、補助データに符号化されるので、視聴者は番組内容を光学的若しくは電子的に復号して、懸賞やポイントを貯めるためにそのデータを手持式デバイス１２で処理、保存、表示する。参加型ゲーム番組には、（１）スポーツ、音楽、ニュース、映画といった身近なテーマに関する質問について展開するゲーム、（２）多項選択方式の質問を問うゲーム、（３）正誤／はい・いいえ方式の質問を問うゲーム、（４）誰、何を、どこで、いつ、どのように、なぜ、といった質問を展開させるゲーム、などが含まれる。
【００５７】
ディスプレイデバイス１０の視聴者は、家でレストラン、バー、ホテルの部屋等の離れた場所から手持式デバイス１２を使って番組に参加する。回答は手持式デバイス１２で復号、処理、保存されるので視聴者はボタンを押して正解を選ぶことによって質問に対する答えを選択する。ＰＤＡ、携帯電話、無線電話などのＬＣＤディスプレイ付き手持式デバイス１２の場合、回答はＬＣＤ４４に表示される。スタイラス、ポインター、又は指で選択肢を触れることで正解を決定する。回答はテレビ番組側で前もって定められたものである。勝ち取った正解は手持式デバイス１２内に蓄積、計算されて、使用者には計算表の形で表示される。回答はアルファベット順に使用者に表示されてもよい。
【００５８】
蓄積したポイントや勝ち取った組み合わせは各レベルの賞品に償還可能であり、店頭で番組のスポンサーによってコンピュータやコンピュータインターフェース７０を又は番組の達成プロセスを介して償還可能である。
全国にテレビ放送される競技会の場合、参加者は様々なスポーツバーで発行された“ゲーム用”手持式デバイス１２を使って参加する。テレビ放送中、全国のスポーツバーで参加者は、参加者同士だけでなく番組のスタジオの出演者とも、正解を考えポイントを貯めて競う。手持式デバイス１２の持ち主の勝者は現金、その番組に出演する権利などの報酬を得る。償還は手持式デバイス１２を番組のウェブサイト、スポンサーの顧客向けサイトに同期させて、又は他の達成手段によって行われる。
【００５９】
図１６は、回路の１形式の概略図であり、この回路を用いてここに記載する色々な実施形態の特徴と機能を提供する。その構成要素を、その要素が慣例的に呼ばれる呼び方に近い数、記号で示す。光学フォトセンサ３０は増幅フィルター回路へ信号を与えるフォトダイオード又はフォトトランジスタＱ２によって構成される。増幅フィルター回路は演算増幅器Ｕ１Ａから成り、演算増幅器Ｕ１Ａはその出力と反転入力間に相互接続する構成要素Ｃ１、Ｒ１９、Ｒ１８及びＣ１２から成る回路を含む増幅器及びフィルターを備える。増幅フィルター信号は、Ｒ１５を通ってフィルター及び周波数形成回路に供給される。周波数形成回路はそのフィードバック回路に構成要素Ｃ１０、Ｃ１１及びＲ１６を有する演算増幅器Ｕ１Ｂを備える。これらの回路は抵抗Ｒ５を通し、演算増幅器Ｕ１Ｃ及び抵抗Ｒ１１より成る回路を通して、濾過及び周波数形成された出力を供給する。演算増幅器Ｕ１Ｃは、一対の出力を備えてダイオード対Ｄ１１に結合する出力を有し、上部は演算増幅器Ｕ１Ｄを備える回路に結合し、抵抗Ｒ２０を通して伝送されるデータ信号を出力するバッファの役割を実質的に果たす。下部は抵抗Ｒ１を通ってさらにキャパシタＣ３の反対側にある抵抗Ｒ７へと信号を供給する。Ｒ１とＲ７間のノードは、水平線走査速度の１６ｋＨｚの信号又はフォトセンサ３０（Ｑ２）が受信した周波数テレビディスプレイ光信号を供給する。従来のＮＴＳＣカラー信号の水平走査周波数は、より正確には１５．６２５ｋＨｚである（ここでは約１６ｋＨｚと記述する）。同様に、判別回路は演算増幅器Ｕ１Ｄの出力で補助データを表す受信をし、ディスプレイの代替線輝度変調によって生成された８ｋＨｚ信号を供給する。このような判別回路は、実際のデータを構成する１６ｋＨｚ及び８ｋＨｚ（より正確には７．８１７５ｋＨｚ）の双方を供給し、かつ受信した補助データの情報（データ）内容を搬送する８ｋＨｚデータが存在するか否かを、１６ｋＨｚ又は８ｋＨｚ信号の平均信号の振幅がより大きいかどうかを判定することにより判定する。その結果、もし補助データが存在する、すなわち受信された光信号中に８ｋＨｚ変調エネルギーがあれば、８ｋＨｚ内の情報内容をデコードする回路のマイクロプロセッサＵ２に供給される。こうして、受信された複合ビデオ信号は増幅、濾過されて１６ｋＨｚ信号の強調を押さえ、データを搬送する８ｋＨｚ信号を回復させる。すなわち、演算増幅器Ｕ１Ａ及びＵ１Ｂが備える波形形成及び周波数形成回路は、水平帰線周波数の強調を押さえて、かつ該当するデータ内容を搬送する半フレーム率を増幅する。回路は、フレーム率信号を濾過し基準として使用して８ｋＨｚデータ搬送信号とその相対的信号の振幅を比較する。回復した８ｋＨｚ信号が調整された１６ｋＨｚ信号よりも振幅が大きい場合、補助データは存在し、プロセッサによって利用可能ということになる。マイクロプロセッサＵ２は、商業的に入手可能なタイプＺ８６Ｅ０２であることが好ましく、その常駐ＲＯＭメモリ中に記憶された装置の指示に従って動作する。特に図示していないが、マイクロプロセッサＵ８は、復号したデータを記憶するランダムアクセスメモリー（ＲＡＭ又はＤＲＡＭ）を含む。こうして、マイクロプロセッサＵ２は復号及び記憶する、又は実質的にＢｒｏｕｇｈｔｏｎ又はＣｉａｒｄｕｌｌｏの教示する所に従ってＬＥＤの一つ以上を点灯させ、データのある証拠又は表示としてそのまま点灯した状態を保ちながら、８ｋＨｚ信号中に存在するデータの印を保存する。そしてデバイス及び／又はＬＥＤ、その他の信号デバイスの表示を駆動し、オーディオ機能を与え、並びに補助データが存在すれば照準ＬＥＤ７を作動させる。また、希望により補助データの存在に応答して信号をＵ１で駆動して、手持式デバイスが複合ビデオ信号や補助データを受信中であるということを簡単に示す照準光の機能を備える。
【００６０】
様々な実施形態と関連する上述した光２０又は２０ａ−２０ｄの照明を、ここに９個のＬＥＤ  Ｄ８−Ｄ１８で示す。手持式デバイス１２の特定の実施形態にこれらのＬＥＤ全てが使用される必要はないと理解されるものとする。すなわち、回路は所望の機能とデバイス１２の用途に応じて一つ、二つ又は三つ以上のＬＥＤを駆動するように構成してもよい。
【００６１】
マイクロプロセッサＵ２の近傍にマイクロプロセッサから発生したノイズをバイパスするために使用される二つのダイオードＤ１５及びＤ２０を示している。スピーカーＳＰＫ１は、図６に示した要素３４である。水晶クロックＸＴＡＬ１は、８ｋＨｚクロック信号をマイクロプロセッサＵ２に供給する。コンデンサＣ８及びＣ９は、クロック回路の一部である。
【００６２】
クロック回路の直近に、デバイスの動作を開始する種々の実施形態においてボタン２２の機能を備えるスイッチＳ１がある。スイッチＳ１は電源回路と結合する。電源回路は電力用セルＶ２、Ｖ３（それぞれ１．５Ｖ電位）及び抵抗１４を有し、トランジスタＱ１とＬＥＤＤ８−Ｄ１８の列に電力を供給可能にする抵抗１２及び１３を備えるスイッチ式アナログ電力回路を含む。
【００６３】
図１７は、本発明の手持式デバイスの更に別の実施形態で用いられる回路の別の例を示す。回路は商業的に入手可能なＺ８６Ｘ０８型のマイクロプロセッサを含む。回路は同様に８ｋＨｚ及び１６ｋＨｚ信号（より正確には１５．６３５ｋＨｚ及び７．８１７５ｋＨｚ）を備える。上述したように代替水平線上で符号化した補助データは、走査速度の僅か半分でも有効に存在するので、８ｋＨｚ及び１６ｋＨｚ信号はそれぞれ水平帰線信号とデータ信号を半分の周波数で構成する。これらの信号をＶＥＩＬＡ、ＶＥＩＬ  ＲＥＦとし、マイクロプロセッサＵ２への入力として供給する。従って、演算増幅器Ｕ１Ａ、Ｕ１Ｂ、Ｕ１Ｃ及びＵ１Ｄからなる演算増幅回路は図１６に記述したバッファ回路と同じ増幅、濾過、周波数形成、及び判別の機能を持つ。水晶Ｘ１によって８ｋＨｚにクロックされるマイクロプロセッサは、複合ビデオ信号によって与えられるデータをデコードし、内部ＲＡＭ又はＤＲＡＭ内に記憶し、図示したように１６文字２行ディスプレイの回路構成要素ＬＣＤ１であるＬＣＤ４４を駆動する。その代わりに例えば１２文字３行ディスプレイやデバイスの表面にメッセージ表示するのに適した他のフォーマットでも良い。
【００６４】
３Ｖ電位の二つのセルＢＴ１及びＢＴ２がＱ２を含む回路に電力を供給する。主電力のみでなく補助電力も提供する。後者はマイクロプロセッサへ送電され、ＬＣＤ４４が動作中でないときでも日付や時刻計時などの連続動作を維持するために用いられる。総体的にバッテリ２２と称するものとする。いくつかの実施形態において、スイッチＳ１は電力ボタン３８（図８）の機能を実行する。押されるとＬＣＤ１に電力を供給する。他のスイッチ機能はＬＣＤ４４のスクロールを制御するスイッチＳ２が行う。スイッチＳ２を図１４に示すスクロールボタン４０で作動してもよい。同様に、満了ボタン４２によって作動されるスイッチＳ３は日付機能を持つ。これらの信号は演算増幅器Ｕ３Ａ及びＵ３Ｄへの入力をそれぞれ制御し、演算増幅器及びＬＣＤ１に対しては入力の役割を果たす。クリアスイッチは上述したように操作され日付を消去する。スクロールスイッチは、図８に示すように使用者がメッセージをＬＣＤ４４に表示できるようにする。演算増幅器Ｕ３Ｃ及びＵ３Ｂは、図示された接続に応じて用いられる電圧を供給する。
【００６５】
図示した回路の実施形態は、ビデオ番組材料及び制御データを含む複合ビデオ信号を生成し、テレビに信号を表示し、補助的用途の制御データを復号する方法に関連して用いられる。この方法には、ディスプレイデバイス１０の視覚領域内で少なくとも一つのビデオフィールドをテレビ視聴者に見えないように変調することによって、データを含む信号（８ｋＨｚで検出可能と表示される）のビデオ副搬送波の要素を生成し、その要素を検出して補助用途のデータを再生することが含まれる。本発明に基づいて手持式デバイスを使用する際に、輝度変調は特に有用であるが、代わりにＢｒｏｕｇｈｔｏｎに基づいてクロミナンス変調を採用してもよい。更に、Ｃｉａｒｄｕｌｌｏにある変調への改善点を同様に採用しても良く、また特定の実施形態においては好ましい。振幅偏移変調（ＡＳＫ）、周波数偏移変調（ＦＳＫ）、修正周波数偏移変調（ＭＦＳＫ）、及び位相偏移変調（ＰＳＫ）などの様々な他の変調（及び対応する変調）方法を採用しても良いが、これに限定されるものではない。ほぼ８ｋＨｚのデータ搬送副変調は、ＮＴＳＣ水平走査速度の半分であるが、他の副変調技術を水平走査（水平帰線）速度の他の機能である他の倍数、約数又は他の周期的速度で使用してもよい。
【００６６】
図１８は、１２の番号で指定される対話型手持式デバイスの更に別の実施可能な形態の回路ブロック図である。図１６又は図１７に基づく判別器及びマイクロプロセッサ回路６６を示している。この対話型手持式デバイスはフォトセンサ３０によって複合ビデオ信号を受信して補助データを復号し上記の光信号を供給し、また好ましくは先の記述に従ってＬＣＤ４４を駆動する。つまり、スポーツ用デバイス１２と同様に更新又は開始ボタン２３を含み、作動すると光検出プロセスを開始する。さらにＦＭ受信器６２及び関連アンテナ６４（一括して図２のＲＦアンテナ６８に見られる）をデバイスのプリント回路ボードに加えて表面取付けモジュールとしてもよい。ＦＭ受信器６２及び関連アンテナ６４のデザインは商業的に利用可能で、上述した様々な形態において備えられたバッテリ２２やセル（図示せず）から電力を供給するのに適したものである。制御ボタン６６はＦＭ受信器６２の動作を状況に応じて開始して、マイクロプロセッサ回路６０へＦＭ変調信号を送る。ＦＭ受信器６２は本発明に応じた大きさのどんなタイプのＲＦアンテナでもよく、判別がデコーダで行われ、その結果はＲＦを経て手持式デバイス１２へ送られる。
【００６７】
図１５に関連して記述したスポーツ環境において手持式デバイス１２を利用することができる。ＦＭ受信器６２を追加することでデバイス１２はビデオ信号が利用できないスポーツスタジアムや他の興行の開催地でも利用可能になる。このようにデバイス１２は、光信号又は電気信号の何れか一方を受信する。図１５の手持式デバイスの場合、使用者は上記のようにデバイスに表示された選手やバッター打席にいる選手の統計データを受信する。デバイス１２の好ましい使用方法によれば、テレビ放送を通じて送信されディスプレイデバイス１０で受信されるものと同じ補助情報が複合ビデオ信号としてディスプレイデバイス１０に表示される。さらに８８−１０８ＭＨｚのＦＭ放送帯域での低電力ＦＭ信号によって送信される。この目的で、ＦＭ受信器６２はこのような低電力信号に適した周波数に予め調節されている。ＦＭ信号は例えば打席に立つバッターのデータを含み、新デバイス１２の持ち主が好きなバッターが打席に立つとデバイスを更新できるようにする。
【００６８】
手持式デバイス１２は、色々なスポーツイベント、娯楽番組、大会、博物館、旅行、ガイド付きイベントで利用できる。補助データを搬送するディスプレイデバイス１０があると持ち主はデバイス１２を便利に使えないかもしれないが、デバイスが使用できる場所では、低電力ＦＭ信号や他のＦＭ信号を使用することができる。先に記述した例の使用方法と同様に図１８のデバイスも商業的に重要な用途に用いることができる。同様に、手持式デバイスを使って複合ビデオ信号と異なるＡＭ信号、ＩＲ（赤外）光信号などの補助光信号を受信するようにしてもよい。
【００６９】
同様に、手持式デバイス１２は、“カード”、ＰＤＡ、携帯電話、他の手持に都合の良いもの位の大きさかどうか、レース用デバイスの形式かどうかに関わらず、他の物品、車、著名人、又は家庭用、個人用、ビジネス用機器を模倣して、これらの機器や用途をそれらしく、そっくりに再現する。その結果、手持式デバイスは使用者にその使用方法を示唆し、特別の感情、感覚、独自性又は野外、活動、スポーツ、娯楽、又はデバイスを代表する他の用途などとの関連性を伝えることができる。例えば、ゲームの幾つかの又は全ての役立つ情報が補助データによって与えられるゲームにおいて、デバイス１２の持ち主や用途を本物らしく、そっくりに再現できるように構成したデバイスはゲームのプレイヤーに、ゲームで遊ぶこと、参加すること、又は主体的にゲームをするという感覚をより高めて与えることができる。以上は多くの可能性を例示したにすぎない。
【００７０】
本発明は既存のＲＢＤＳシステムを使った手持式デバイス１２に補助データを送信する新しい方法を利用することもできる。本発明のこの方法については図１９に図示され、ここに記述される。第一の符号化ステップ１０２にはＦＭ信号の複搬送波内に送信される日付付きのＦＭ信号を変調することが含まれる。ステップ１０２はラジオ局で行われることが好ましいが、ラジオのコマーシャルを録音する場所で行っても良い。
【００７１】
図２０において符号化ステップ１０２をより詳細に説明する。符号化ステップ１０２において、スポンサーは使用者に提供したい販売促進の機会（データ形式）をコンピュータ１１０に入力し、コンピュータ１１０はＲＢＤＳ符号器１１２でその入力を処理し、ＦＮ信号の複搬送波内の情報を符号化する。具体的には本発明で用いるＲＢＤＳ方法は指定の周波数（９４．７ｍＨｚ）内で５７ｋＨｚ複搬送波に情報を印加する。ＦＭ信号を変調して販売促進の機会を含む複搬送波を内包させると、ＦＭ送信機１１４でＦＭ信号を送信する準備が整う。
【００７２】
ＲＢＤＳを用いたＦＭ送信機１１４の情報送信方法としては、既存のラジオ局（既知の周波数で放送する）で事前録音されたコマーシャル中に行われることが好ましい。この方法で、図１９に示した符号化ステップ１０２はコマーシャルの放送前に終了する。これにより、ラジオ局でコマーシャル送信時に追加の職員を配する必要はなくなる。また符号化ステップ１０２をＦＭ信号が送信ステップ１０４で送信される直前にリアルタイムで変調して実行しても良い。どちらの方法でも、符号化した情報は好ましくはＦＭ信号の主搬送波にどんな音声が含まれていたとしても同期される。情報の内包をトリガする方法はスポンサーが販売促進の機会をどのように提供したいかによって、互換的に用いられると当該技術において理解されるものとする。
【００７３】
図１９に戻り、送信ステップ１０４は符号化ステップ１０２の終了後、被変調ＦＭ信号の送信を実現する。ＦＭ信号は変調していないＦＭ無線波信号と共通の方法で送信されるものと当該技術において理解される。ＦＭ信号は放送波で送信され、手持式デバイス１２やここで述べる販売促進の機会を提供不可能な標準のラジオで受信される。
受信ステップ１０６において、適正にチューニングされた手持式デバイス１２は下記に述べるようにＦＭ信号を受信する。手持式デバイス１２がＦＭ信号を受信すると、ＦＭ信号を処理する処理ステップ１０８が実行される。販売促進の機会を含む情報がＦＭ信号内にあるときに、使用者はデバイス１２で販売促進の機会の提供を受ける。
【００７４】
希望に応じて使用者は販売促進の機会が送信されたという通知を受信する。好ましい実施形態において、使用者はＦＭ信号の主搬送波を含む音声で通知を受ける。ラジオを聞いている使用者は「ボタンを押して機会を受信して下さい」と指示される。又は手持式デバイス１２が販売促進の機会をまもなく受信する若しくは受信したとの知らせを受ける。しかしながら、本発明の下では使用者が販売促進の機会を受信するためにラジオを聞く必要はないが、手持式デバイス１２は複搬送波検出のため周波数を“聞いている”必要がある。したがって、代わりに手持式デバイス１２から直接通知音を出しても良い。使用者は、音声で又は視覚的に通知を受ける。例えばビッーという音や別の音、ＬＥＤ２０の点灯、手持式デバイス１２の揺れや振動、又はＬＣＤ４４に文字メッセージを表示するなどである。
【００７５】
販売促進の機会は、デバイス１２の製造コストに割り当てられる金額や、使用されるアプリケーションに応じて種々の方法に基づいて手持式デバイス１２で処理することができる。好ましい実施形態においては、手持式デバイス１２で受信した情報は表示される全ての文字を含み、使用者に販売促進の機会を提供する。
また、手持式デバイス１２に送られる情報をトリガにしても良い。デバイス１２がトリガを受信、処理すると使用者は販促機会がまもなく来る、又はデバイス１２が機会を今受信したなどの表示を音声で又は視覚的に受信する。
【００７６】
手持式デバイス１２が受信する情報に分類コードを用いて販売促進の機会を差別化し分類する手段を含んでも良い。分類コードは販売促進の機会の分類に対応し、この分類にはアパレル、自動車、コンピュータ、大会、食事、エレクトロニクス、娯楽、経済的なサービス、食料品、健康と美容、家と庭、インターネットウェブサイト、子供、ペット用製品、旅行などが含まれる。上記のリストは単なる例示であり、手持式デバイス１２を用いる仕様に応じて他の分類方法を用いても良い。
【００７７】
保存された記録には使用者の好みを示すフラグのついたデータベースが含まれる。使用者は受信したい販売促進の機会の分類を特定する。分類は手持式デバイスの発行の際に、設定されてもいいが、好ましくは使用者がデバイス１２をコンピュータに接続し（Ｋｏｐｌａｒに記載されるコンピュータ接続方法に基づき）、その構成内容をダウンロードすることによって、直接プログラムする。手持式デバイス１２が分類コードを受信すると、デバイス１２は分類コードと保存された記録を比較し、その販売促進の機会を保存し、使用者に知らせるべきか、無視するか、又はスポンサー（又は使用者）が指定する別の動作を行うかを決定する。また、販売促進の機会を直ちに保存し使用者に表示すること、販売促進の機会の分類を使用者が見る、保存する、また／及び受信したら直ちに消去するなどを、保存された記録が示すようにしても良い。この販売促進の機会分類の概念は手持式デバイス１２において新規性があり、修正及び拡大して既知の“選択（ｏｐｔ−ｉｎ）”メイル方式を包含するものと当業者によって理解される。これにより、デバイス１２の使用者は興味もない無数の販売促進の機会を分析して、価値のあるものを探し出す必要がなくなる。また、この販売促進の機会を分類する方法は手持式デバイス１２の外部でも機能し、他のデバイス１２でも使えるものと理解される。
【００７８】
さて図２１から、手持式デバイスの回路構成が見てとれる。受信ステップ１０６（図１９）で、ＦＭチューナ１２０を用いてＦＭ信号を手持式デバイス１２で受信する。ＦＭチューナ１２０はまた、処理ステップ１０８（図１９）を開始し、好ましくは主搬送波（含むオーディオ）及び複搬送波（含む情報）の双方を検出する手段を有する。主搬送波の検出手段がないと、ＦＭチューナ１２０は複搬送波を特定することができず非実用的である。
【００７９】
ＦＭチューナ１２０は補助データを含むＦＭ信号（例えば、両波測帯抑制搬送波）を水晶発信器１２４に特定された無線周波数で受信する。複搬送波復号器１２２は、複搬送波信号があれば、それをデータストリームに変調することによってＦＭ信号を処理する。これによって、当初スタジオで符号化された情報が、生のデータ形式（つまりデータストリーム）で抽出される。複搬送波復号器１２２に生成されて存在するデータストリームは生の形式であるので仮想的には使用できない。データストリームはクロック信号とデータ信号からなる。クロック信号はコンピュータ１１０のクロックに同期する。
【００８０】
ＦＭチューナ１２０を特定周波数にチューニングする方法はその適用によって決まる。好ましい実施形態は、デバイス１２の工場出荷時に、一定の周波数に水晶発振器１２４を恒久的に設定することである。又は、ＦＭチューナ１２０が水晶発振器１２４を制御して規則的に無線周波数をチェックする。そこで変調ＦＭ信号を突きとめたら、チェックを止めてその変調ＦＭ信号が所望の用途に関係しているかを判断する。ＦＭチューナ１２０を主マイクロプロセッサ１２８で直接制御する第三の方法もある。マイクロプロセッサ１２８は、使用者からの入力の有無にかかわらず、全ての周波数をチェックするか、探す周波数のリストを持つかを決めることができる。手持式デバイス１２は特定の局、特定の親会社、又は特定の市場（例えば、ミズーリ州、セントルイス）のみのＦＭ信号を受信するように構成されるものとする。
【００８１】
クロック信号とデータ信号を複搬送波復号器１２２からデータ調節器１２６まで送信するようにしても良い。データ調節器１２６はコンピュータ１１０と互換性があるので、データ調節器１２６は送信される情報を選択することができる。
信号がＦＭチューナ１２０から複搬送波復号器１２２まで移動する間に、増幅器（図示せず）でＦＭ信号を受信し、使用者がＦＭ信号に含まれるオーディオ（すなわち音声や音楽）を聞けるようにしても良い。
【００８２】
本発明の好ましい実施形態においては、情報と共に送信される開始・停止パルスはない。この構成は信号に開始パルス、８ビットデータ、停止パルスが含まれる家庭用コンピュータの処理とは異なる。家庭用コンピュータでは、コンピュータはデータの受信端で停止パルスを探す。しかしながら、本発明の好ましい実施形態において、時間や資源を開始・停止パルスの探索に割り当てることは望むところではない。データは開始・停止パルスなしで連続して送信され、代わりにエラー訂正コードを送信し使用する。符号化ステップ１０２で、符号器１１２はＦＭ信号を処理し、その送信前に算出が行われた。コンピュータはこの情報の知識を利用して、訂正コードを取得する。訂正コードを手持式デバイス１２が受信すると、前記算出方法を逆の計算によって処理し当初送信された情報を決定する。このようにデータ調節器１２６はデータストリームから情報を抽出する。データ調節器１２６が１ブロックのデータを抽出するたびに、１ステータスバイトと２データバイトが生成される。ステータスバイトから送信のどの部分を受信しているかがわかる。送信は４バイトから成り、最初のバイトがステータスバイトで、データ調節器にどのブロックを受信中かを知らせ、次の２バイトが実際のデータで、第４のバイトにはデータは含まれていない。
【００８３】
データ調節器１２６は最初の３ブロックを受信すると直ちに中断パルスを生成する。中断パルスはマイクロプロセッサ１２８にデータ調節器２６にデータがあるので、読み出すように知らせる。当該技術において、“中断”とはコンピュータが中断パルスの受信前に何を行っていても、それを止めて中断要求を処理することを意味すると理解されるものとする。中断要求によって指定された作業を終えると、マイクロプロセッサ５０は元の処理に戻る。本発明の下では、マイクロプロセッサ５０は中断及び照会を行うデータ調節器１２６が何のデータを有しているかを認識する。データ調節器１２８からマイクロプロセッサ５０へ送信される情報は好ましくは、当該技術においてよく知られたフィリップス所有の“ｉ−ｓｑｕａｒｅｄ−ｃ”プロトコルに基づくものである。
【００８４】
マイクロプロセッサ５０は情報が販売促進の機会であると認識すると、その機会をＲＡＭ１３０に入れる。毎回４ブロックのデータが送信される。第１ブロックは局識別子かネットワークＩＤを含むＰＩコードである。第２ブロックには４ブロックで送信される情報の種類が書かれている。好ましい実施形態においてはグループ２無線文字である。又は、ナビ情報、生データ、本発明のシステム内で使用可能な他の種類のデータでも良い。
【００８５】
第二ブロックから次に受信される４バイトのメッセージ内にある特定の位置情報がわかる。マイクロプロセッサ４４はすぐにアクセスできるように位置情報を自らの内部ＲＡＭ（図示せず）に保存する。最後の２ブロック受信後、マイクロプロセッサ４４はブロックをＲＡＭのどこに保存するかを知る。マイクロプロセッサ４４はデータをＲＡＭ３０に保存して、将来の使用に備える。
【００８６】
第二ブロック内で送信されるビットの１つは、ＡＢフラグである。マイクロプロセッサ４４は同時に二つの販売促進の機会を処理する。第１の販売促進の機会は、現在表示されているものであり、第２は受信されているものである。第２の販売促進の機会が終了し、スポンサーが新しい販売促進の機会の送信を決めると、ＡＢフラグのステータスは変化する。フラグの変化により、マイクロプロセッサ４４は第１の販売促進の機会が送信されたことを知る。そしてマイクロプロセッサ２８はＲＡＭ３０からその販売促進の機会を出力してＬＣＤディスプレイ４４に表示する。手持式デバイス１２がこの販売促進の機会を受信している間、第１の販売促進の機会は連続して受信されている。この連続受信・表示はＡＢフラグが変化するまで続く。その後、手持式デバイス１２はＲＡＭ３０からの販売促進の機会を表示し、新たな販売促進の機会の受信を開始する。手持式デバイス１２は販売促進の機会を表示しながら、残った文字の影響を取り除くべくＲＡＭ３０をクリアする。主プロセッサは定期的にフラグを探索する。このプロセスはラジオの野球実況中の野球データなどの販売促進の機会を受信はするが保存はしないときに効果的である。これらの機会は保存、再利用されることが望ましく、ここに記載する方法はそれを可能にするように変更できると理解されるものとする。
【００８７】
複搬送波変調器１２２とデータ調整器１２６と結合するのは水晶発振器１２４である。水晶発振器１２４は符号化するコンピュータ１１０の水晶発振器と互換性がある。水晶発振器１２４は正確に時間を測定する機構であって、手持式デバイス１２に入ってくるデータと同期する。
任意のＲＯＭ１３４を本発明の好ましい方法では使用する。ＲＯＭ１３４は多種多様な手持式デバイス１２を特定可能に、希望があれば独特なものにするために、それらを区別する方法を提供する効果的な手段を備える。ＩＤをＲＯＭ１３４に保存することによって、手持式デバイス１２はＫｏｐｌａｒやここに記載する販売促進の機会の多くを実現できる。
【００８８】
本発明の下では、マイクロプロセッサ１２８は文字の代わりにスペースを挿入してＬＣＤディスプレイ４４側に移動させる。販売促進の機会を保持することが望まれるデバイス１２の応用例において、使用者が販売促進機会を読む間、販売促進の機会はＲＡＭ１３０の別の場所に置かれる。販売促進の機会はＲＡＭ１３０の容量が一杯になるまで保存される。
【００８９】
マイクロプロセッサ５０は毎分送信されるタイム信号を用いて多種多様な販売促進の機会を区別できる。マイクロプロセッサ５０は１分間に１度ラジオ局と同期する内蔵型クロックを備える必要がある。販売促進の機会をＬＣＤディスプレイ４４に表示し、ＲＡＭ１３０の上位の場所に保存している間に、時刻のスタンプを押す。それによって、各メッセージがそれぞれに独特な識別子を持つことになり、販売促進の機会を長期保存用とする手段として用いることもできる。
【００９０】
本発明の下、使用者の好ましい制御手段はマイクロプロセッサ５０に接続するキーパッド（図示せず）である。手持式デバイス１２とキーパッドを共に構成する好ましい方法は、チェックキーパッドコマンドをマイクロプロセッサ５０のメインループに挿入して、キーパッドが押されると、マイクロプロセッサがサブルーチン機能を開始し使用者の要求を処理することである。このキーパッドはＫｏｐｌａｒやここに記載されるものと同様な機能を持つと理解されるものとする。
【００９１】
ＲＯＭ１３４は各手持式デバイス１２に特有の番号を与える手段を備える。情報が送信されると、文字内にコードが埋め込まれる。手持式デバイス１２が数字の列を受信するとその始めに記号を付けて、その番号を表示するのではなく、ＲＯＭ１３４内にある番号と比較する。使用者のユニットが受信した番号とＲＯＭ１３４内の番号とを一致させると、手持式デバイスは特別又は特有の方法で対応し、Ｋｏｐｌａｒやここに記載されるように、販売促進の機会を提供する。
【００９２】
コンピュータ画面のようなモニタにビデオをリアルタイムで表示中に信号を符号化するには複雑な点がある。ＣｉａｒｄｕｌｌｏやＢｒｏｕｇｈｔｏｎに記載されているとおり、実質的不可視信号方法に基づき、全モニタ内のビデオディスプレイのライン一行を明るくし、一行を暗くする。コンピュータで符号化したビデオの内容を一定のストリームにして用いると、コンピュータ動作システムや該システムが制御するビデオカードとの連携が難しい低レベルのデバイスドライバーが必要となる。ビデオ内容が受信前にフォーマットされる従来のテレビとは異なり、モニタはマイクロソフト（登録商標）のウィンドウズ（登録商標）やビデオカードを用いて動作システムレベルでビデオ内容を生成する。ビデオデータが、動作システムに要求のあったデータを表示するように指示するアプリケーションプログラムからビデオデータを生成しない限り、コンピュータモニタの表示制御は困難である。
【００９３】
本システムは動作システム、アプリケーションプログラム、ビデオカード、モニタ、使用者がデータを受信する手持式デバイス１２を含む、コンピュータのソフトウェア、ハードウェアを利用する。本発明の下では、アプリケーションプログラムを実行してデータの送信を開始する必要がある。アプリケーションプログラムを模倣する好ましい方法として、マイクロソフト（登録商標）のインターネットエクスプロラ（登録商標）や同様のウェブ閲覧ソフトと使用者との特定の対話においてアプリケーションプログラムを開始させることが挙げられる。使用者がマウスを移動し、クリックやダブルクリックをしてウェブブラウザと対話すると、ウェブブラウザは特定のイベントに関してアプリケーションプログラムを選択的に実行する。アプリケーションプログラムは動的リンクライブラリとして保存され、ウェブブラウザがＤＬＬファイルを必要とすると判断したイベントについてＤＬＬを呼び出し、開始する。プラグイン式ＤＬＬの設置は、ウェブブラウザがアプリケーションプログラムを呼び出せるように、本発明実行前になされる必要がある。使用者がウェブブラウザを使って初めて手持式デバイス１２との対話を試みると、適当なウェブサイトがアプリケーションプログラムの呼び出しが必要な操作を行う。次にウェブブラウザは画面にメッセージを表示してＤＬＬのダウンロードとインストールを行うかを問う。ＤＬＬのインストール後、ウェブブラウザはすべき操作を行い、所望の結果を得る。本発明の分野の当業者は、本発明の別の構成を理解するはずである。例えばアプリケーションプログラムは独立プログラムとして構成されても良いし、別のアプリケーションプログラムと一体化しても良い。
【００９４】
使用者がウェブブラウザでウェブサイトを検索する間、様々な操作を行うと、アプリケーションプログラムが開始される。アプリケーションは開始され動作すると、モニタ１０上に画像が表示され、使用者は手持式デバイス１２で画像から受信したデータを取り込む。本発明の好ましい実施形態においては、画像は最大化したウェブブラウザのタイトル・バーのところに表示される。しかしながら、画像は見えるところならモニタ１０のどの位置に表示しても良い。例えば、カボチャの目の中に画像が表示され、喋るかかしが登場する幽霊の物語が展開する中で、手持式デバイス１２の所有者が機会や利益を自分の手持式デバイス１２に取り込む。さらに画像は箱形に限定されず、モニタ１０からある特定の距離だけ離れたところから使用者がデータを取り込める大きさの画像ならば、仮想的にどんな形でも良い。
【００９５】
手持式デバイス１２のフォトセンサ３０が受信したデータストリームを用いて、デバイス１２に動作を開始させたり、デバイス１２にデータを直接送信したりする。手持式デバイス１２が受信したデータはＫｏｐｌａｒやここに記載するものを含む、異なる複数の方法で利用できる。
本発明の好ましい方法においては、手持式デバイス１２が受信したデータはデバイス１２にトリガを開始させる。手持式デバイス１２はデータを受信するとそのデータが自分のトリガの一つと一致するかを確認する。例えば、手持式デバイス１２がビロードのねずみの場合、トリガを受信すると“坊や、お嬢ちゃん、こんにちは”などの言葉を発し、トリガを受信するたび、デバイス１２はその特定の言葉を繰り返す。手持式デバイス１２をトリガすることによって、デバイスに送るデータの必要量を最適化できる。
【００９６】
本発明のワイヤなしでコンピュータやインターネットから手持式デバイス１２でデータを受信する方式について説明する。本発明の好ましい実施形態において、フィードバック経路はないが、ＲＦ、ＩＲ、ＵＳＢなどのフィードバック手段やＫｏｐｌａｒやここに記載する他の手段を備えて、手持式デバイスを向上させることも可能であると理解されるものとする。手持式デバイス１２はＫｏｐｌａｒやここに記載する手段のいずれを用いて、データの収集、収集したデータから受信した販売促進の機会の利用を行っても良い。
【００９７】
本発明においては、通信パスを設定して、モニタ１０から手持式デバイス１２へデータストリームを送信する。データはモニタ１０上の変化する視覚画像から、１と０の列で送信される。１は画像が周波数を発するときに検出され、ゼロは周波数を発しないとき検出される。このように、ウェブブラウザのタイトル・バーのところに画像を表示する好ましい実施形態では、タイトル・バーが白一色の時は周波数がないことを示し、白黒交互の線の時は周波数があることを示す。どちらの場合も、手持式デバイス１０の動作と光センサ３０がモニタ１０の方を向くのとが、交互の白黒線を読むのに間に合えば、１のデータビットが記録され、ラインの準備ができていなければ、ゼロが記録される。モニタ１０の画面上で、表示と色表示の周波数を変化することによって、データを手持式デバイス１２に送信可能となる。
【００９８】
本発明の手持式デバイス１２にデータを送信する際の複雑さはコンピュータ、モニタ、ビデオカードなど、データを送信する構成が異なる点にある。その構成に応じて、モニタ１０上の視覚画像は変化し適当な周波数を手持式デバイス１２に送信する。さらに秒毎のビット送信速度はリフレッシュ速度に応じて変化する。本発明は下記で詳細に述べるように、コンピュータの構成の如何に関わらず動作する。
【００９９】
モニタ１０は一般にコンピュータ画面横に絵を描き、次を繰り返す前に画面上から下に縦に描くブラウン管を有する。モニタ１０は、手持式デバイス１２が連続する各リフレッシュ（すなわち再描画）の間に検出する周波数を含む画像を生成する。各リフレシュにおいて、モニタ１０の特定の場所に画像が表示され、周波数があるかないかを示す。手持式デバイス１２はその特定周波数を探し、その結果に基づいてデータビットを記録する。画像の表示する周波数が１８ｋＨｚであれば、手持式デバイス１２はモニタ１０のリフレッシュ毎に１８ｋＨｚがあるかどうかを検出する。１８ｋＨｚがあれば、１のデータビットが存在し、なければゼロのデータビットが存在することになる。
【０１００】
本発明では、手持式デバイス１２はモニタ１０のリフレッシュ毎に２値データストリームと１ビットを受信する。モニタ１０が６０Ｈｚでリフレッシュする場合１秒間に６０ビットのデータが手持式デバイス１２に送信される。手持式デバイス１２はモニタ１０のリフレッシュ毎にその周波数があるかどうかを確認する。周波数があれば、手持式デバイス１２は１のデータビットを記録し、なければゼロのデータビットを記録する。２値データは、トリガとして用いられるか、又は保存されるデータを供給する。
【０１０１】
上述の一例を次に挙げる。アプリケーションプログラムが１０１１の２値コードを１８ｋＨｚの周波数で手持式デバイス１２に送信するとする。モニタ１０に１フィールド（つまり画面に１つの絵）が描かれると、プログラムはモニタ１０の画面に１８ｋＨｚの画像を配置する。手持式デバイス１２の光センサ３０がモニタ１０を読み、１８ｋＨｚの画像を検出し、１のデータビットを記録する。次のリフレッシュでアプリケーションプログラムはゼロのデータビットを示すために画面にある画像を消去し、白ブロック（１８ｋＨｚ画像を含まない）を表示する。手持式デバイス１２はもう一度モニタ１０を確認し、１８ｋＨｚ画像を検出しなければゼロのデータビットを記録する。このように手持式デバイス１２はここまで１とゼロのデータビットを受信している。次のリフレッシュでモニタ１０は１８ｋＨｚ画像を表示し、手持式デバイス１２はその画像を読み１のデータビットを記録する。
【０１０２】
最後のリフレッシュで、モニタ１０が１８ｋＨｚ画像を配置すると、手持式デバイス１２は再びその画像を呼び、別の１のデータビットを記録する。このようにして、手持式デバイス１２はアプリケーションからコードを読み出す。
データ信号を多数送信して、手持式デバイス１２がインタフェアレンスが送信の妨げになるほど遠すぎない、適正な位置にあることを確認するのが好ましい。手持式デバイス１２は受信した各データを使用するように設定するか、受信したストリームとその前のストリームの結果を比較して、同じデータがデバイス１２内で複製されていないことを確認しても良い。手持式デバイス１２のイベントマネージャがデータ受信時に何が起こっているかを判断しても良い。
【０１０３】
簡単に上述したように、本発明はコンピュータの構成とは関係なく、機能する。アプリケーションプログラムは、標準水平周波数に応じて画像を変化させることによって、独立に動作する。水平周波数はモニタ１０の設定によって異なり、１行の画素の数、絵、画面内の行の数、垂直リフレッシュ率の３要因によって決まる。したがって、異なる解像度のビデオカードは異なる水平周波数を有する。異なる水平周波数はモニタ１０に表示されている画像の周波数に影響を与えるので、水平周波数は画像を表示するアプリケーションプログラムの考慮の対象となる。
【０１０４】
例えば、コンピュータビデオカードを構成して８００×６００のモニタ１０を６０ｋＨｚで動作させ、望ましい画像周波数は１８ｋＨｚであるとすると、画像の第１行は白、第２行は黒、第３行は白、第４行は黒・・・というふうになる。その結果画像周波数は１８ｋＨｚになる。仮にビデオカードを１０２４×７６８に構成すると、１８ｋＨｚ周波数を得るためには１・１／４行を白に次の１・１／４行を黒にしなければならない。
【０１０５】
アプリケーションプログラムは水平周波数に基づき調整を行う。マイクロソフト（登録商標）のウィンドウズ（登録商標）のような動作システムは行毎の画素数とスクリーン毎の行数を利用できるようにする。統計上のテストプログラムは、スクリーンに絵が現れるまでの時間を記録することによって、垂直リフレシュ速度を測定する。アプリケーションプログラムはそこで、ウィンドウズ（登録商標）のレジストリにその構成を保存する。レジストリはスタンプを押したデータなのでアプリケーションはこの構成プログラムを毎日再動作させることができる。統計データは別の場所にいかなる方法で保存されてもよく、他の様々な時刻スタンプチェックシステムを用いても良いと当該技術において理解されるものとする。
【０１０６】
手持式デバイス１２は、ここに又はＫｏｐｌａｒに提案された、スマートカード、携帯電話、ＰＤＡ、おもちゃ、ぬいぐるみなどの構成のうち、いずれをとってもよい。デバイス１２の種類を限定する唯一の要因は、特定の実施形態で使用するときには、デバイス１２は光センサ３０などのディスプレイ装置１０から画像を読み出す手段、及び本発明に基づき受信したデータを解釈する技術を備えなければならないということである。下記に述べるデータ処理技術はハードウェア、ソフトウェア、ハードウェアとソフトウェアの組み合わせで実行できると当該分野において理解されるものとする。
【０１０７】
手持式デバイス１２の光センサ３０はモニタ１０の方向から光を取得し、使用不可能な周波数を濾過する。デバイス１２はまず受信したデータを処理し、どんな画像が存在しているかを判断する。バンドパスフィルタは残った信号ノイズを除去し、存在する画像周波数を残す。バンドパスフィルタに残る信号はある場合もない場合もある。整流回路２６０は信号の絶対値を取り、積分回路２７０に加える。積分回路２７０は各リフレシュで受信した画像信号の各部分を蓄積して受信した信号が画像であるかノイズであるかを判断する。信号が存在すると結論できるだけの十分な信号があれば、マイクロコントローラ２８０は１の値を報告し、なければゼロの値を報告する。
【０１０８】
手持式デバイス１２はどのくらいの頻度でモニタ１０をサンプリングするかを決定する。最初の濾過の後、信号は、受信した信号を種々のモニタリフレッシュ速度に一致させようとするエンベロップ検出器２３０に進む。一致したかどうかの結果は垂直同期復元器２４０に送られ、モニタがどの標準リフレッシュ速度を使用しているかを判定する。アプリケーションプログラムはこのようにデータと共に豊富な情報を手持式デバイス１２に送信するので、デバイス１２はモニタ１０の水平周波数と毎秒何回画像及び記録データビットを探すかを決定できる。
【０１０９】
図２２のブロック図において、まず光２００を取得し、次にハイパスフィルタ２１０及びローパスフィルタ２２０で処理して、上記の補助データを検出している。信号の第１部分をエンベロップ検出器２３０及び垂直同期復元器２４０で処理して、モニタの構成、マイクロコントローラ２８０に送信された結果を判断する。信号の第２部分は、マイクロコントローラ２８０の繰り返しの要求に従って、ＶＥＩＬ周波数バンドパスフィルタ２５０、信号整流回路２６０及び積分回路２７０を通過する。マイクロコントローラ２８０は各セグメント要求に基づくデータを受信すると、システム出力２９０を供給する。
【０１１０】
前述の本発明及び実用的な実施形態に鑑みて、本発明のいくつかの目的かつ他の利点が達成されることはあきらかである。実施形態及び例は本発明の原理と実用的な応用例を最良に説明するために選ばれたものであって、それによって当業者が、意図する特定の用途にあった種々の形態で、様々な変更を行い、本発明を最大限利用できるようにしたものである。
【０１１１】
本発明の範囲から逸脱することなくここに記述、図示した構成と方法に色々な変更が可能であり、前述又は添付図面に示す全ての事柄は、限定的ではなく例示的なものとして解釈されることとする。
本発明の広がりと範囲は上記の例示的な実施形態の何れにも限定されず、本出願の特許請求の範囲とその均等物のみに従って規定されるべきである。
【０１１２】
本システムと本システムに有用な手持式デバイスは、これらの目的のため、番組、イベント、他の協賛された送信のスポンサーだけでなく、様々なビジネス、サービス、及びスポンサーと商業的関係を持つ組織も含む種々のビジネス企業によって配布される。従って本発明の新デバイスを視聴者が使用することによって、テレビ広告、販売促進及び他の協賛された送信に関連する商業的に有利な結果を提供する。新システム及びデバイス及びその使用は次に対して効果的である。
【０１１３】
すなわち、
・視聴者の注意を広告，販売促進及び他の後援された送信に向けること、
・メッセージと製品への意識や記憶を効果的に高めること、
・後援された送信を見た後に視聴者に応答しかつ行動するように勧誘すること、
・スポンサーの製品又はサービスと競争者のそれらを差別化すること、
・視聴者に広告、販売促進及び送信を見る気を起こさせること、
・広告、販売促進及び他の送信を強化する新規な、コスト効果的な、ブランド効力の
ある、かつ娯楽性のある媒体を提供すること、
・広告、販売促進及び送信を重要な特別なイベントにすること、
・広告、販売促進及び他の送信のスポンサーと関連するビジネス又は販売時点情報
管理システムの場所に顧客との取引を構築すること、
・広告、販売促進及び送信のスポンサーへの顧客の忠実度を増加すること、
・広告、販売促進及び送信への視聴者の熱中度を増加すること、
・スポンサー独自性及び広告、又は販売促進内容を視聴者に記憶させること、
・広告、販売促進及び送信のスポンサーシップに起因する販売量を強化すること、
・後援された広告、販売促進及び送信へ継続する価値を与えること、
・スポーツ又はレースイベントへの視聴者／観覧者のかかわりを強化すること、
・テレビ番組の視聴者に、プログラム内容、及び広告販売促進及び送信との有意義
な交流の機会を与えること、
・広告、販売促進及びイベントに関する視聴者の信用を高めること、
・デバイスの対話型使用を更に他の機会にまで展開させること。
【図面の簡単な説明】
【０１１４】
【図１】本発明に基づく及びそれを含む対話型手持式デバイスの実施形態の概略透視図である。
【図２】本発明に基づく及びそれを含む対話型手持式デバイスの実施形態の透視外面図である。
【図３】本発明に基づく及びそれを含む対話型手持式デバイスの実施形態の透視外面図である。
【図４】本発明に基づく及びそれを含む対話型手持式デバイスの実施形態の透視的外面図である。
【図５】デコーディングボックスの透視図である。
【図６】図７の示す本発明の実施形態の対話型手持式デバイス内部の特徴を示す透視図である。
【図７】本発明の対話型手持式デバイスの別の実施形態の外部透視図である。
【図８】本発明の対話型手持式デバイスの別の実施形態の外部透視図である。
【図９】図８の示す本発明の実施形態である図７の対話型手持式デバイス内部の特徴を示す透視図である。
【図１０】この図から明らかな回路特徴を持つ様々な実施形態を実現するのに使用する他の回路の概略図である。
【図１１】別の様々な実施形態を実現するのに使用する他の回路の概略図である。
【図１２】対話型手持式デバイスがない状態のドッキング・ステーションの透視図である。
【図１３】対話型手持式デバイスがある状態のドッキング・ステーションの透視図である。
【図１４】本発明の対話型手持式デバイスの別の実施形態である“スポーツ”手持式デバイスの透視図である。
【図１５】本発明の対話型手持式デバイスのまた別の実施形態である“スポーツ”手持式デバイスの正面図である。
【図１６】別の様々な実施形態を実現するのに使用する他の回路のブロック図である。
【図１７】別の様々な実施形態を実現するのに使用する他の回路のブロック図である。
【図１８】別の様々な実施形態を実現するのに使用する他の回路のブロック図である。
【図１９】ＲＢＤＳを用いた手持式デバイスの無線周波数検出方法のブロック図である。
【図２０】コンピュータを用いてＲＢＤＳ符号器で無線信号の情報を符号化する方法のブロック図である。
【図２１】ＲＢＤＳを用いた手持式デバイスの無線周波数検出方法の別のブロック図である。
【図２２】手持式デバイスでディスプレイモニターから光学的検出を行う方法のブロック図である。
【図１】
2004536380.tif 000003
【図２】
2004536380.tif 000004
【図３】
2004536380.tif 000005
【図４】
2004536380.tif 000006
【図５】
2004536380.tif 000007
【図６】
2004536380.tif 000008
【図７】
2004536380.tif 000009
【図８】
2004536380.tif 000010
【図９】
2004536380.tif 000011
【図１０】
2004536380.tif 000012
【図１１】
2004536380.tif 000013
【図１２】
2004536380.tif 000014
【図１３】
2004536380.tif 000015
【図１４】
2004536380.tif 000016
【図１５】
2004536380.tif 000017
【図１６】
2004536380.tif 000018
【図１７】
2004536380.tif 000019
【図１８】
2004536380.tif 000020
【図１９】
2004536380.tif 000021
【図２０】
2004536380.tif 000022
【図２１】
2004536380.tif 000023
【図２２】
2004536380.tif 000024
【国際公開パンフレット】
2004536380.tif 000025
2004536380.tif 000026
2004536380.tif 000027
2004536380.tif 000028
2004536380.tif 000029
2004536380.tif 000030
2004536380.tif 000031
2004536380.tif 000032
2004536380.tif 000033
2004536380.tif 000034
2004536380.tif 000035
2004536380.tif 000036
2004536380.tif 000037
2004536380.tif 000038
2004536380.tif 000039
2004536380.tif 000040
2004536380.tif 000041
2004536380.tif 000042
2004536380.tif 000043
2004536380.tif 000044
2004536380.tif 000045
2004536380.tif 000046
2004536380.tif 000047
2004536380.tif 000048
2004536380.tif 000049
2004536380.tif 000050
2004536380.tif 000051
2004536380.tif 000052
2004536380.tif 000053
2004536380.tif 000054
2004536380.tif 000055
2004536380.tif 000056
2004536380.tif 000057
2004536380.tif 000058
2004536380.tif 000059
2004536380.tif 000060
2004536380.tif 000061
2004536380.tif 000062
2004536380.tif 000063
2004536380.tif 000064
2004536380.tif 000065
2004536380.tif 000066
2004536380.tif 000067
2004536380.tif 000068
2004536380.tif 000069
2004536380.tif 000070
2004536380.tif 000071
2004536380.tif 000072
2004536380.tif 000073
2004536380.tif 000074
2004536380.tif 000075
2004536380.tif 000076
2004536380.tif 000077
2004536380.tif 000078
2004536380.tif 000079
2004536380.tif 000080
2004536380.tif 000081
2004536380.tif 000082
2004536380.tif 000083
2004536380.tif 000084
2004536380.tif 000085
2004536380.tif 000086
2004536380.tif 000087
2004536380.tif 000088
2004536380.tif 000089
2004536380.tif 000090
2004536380.tif 000091
2004536380.tif 000092
2004536380.tif 000093
2004536380.tif 000094
2004536380.tif 000095
2004536380.tif 000096
2004536380.tif 000097
2004536380.tif 000098
2004536380.tif 000099
2004536380.tif 000100
2004536380.tif 000101
2004536380.tif 000102
2004536380.tif 000103
2004536380.tif 000104
2004536380.tif 000105
2004536380.tif 000106
2004536380.tif 000107
2004536380.tif 000108
2004536380.tif 000109
2004536380.tif 000110
2004536380.tif 000111
2004536380.tif 000112
2004536380.tif 000113
2004536380.tif 000114
2004536380.tif 000115
【国際調査報告】
2004536380.tif 000116